(57)【要約】【課題】煩わしい操作をしなくても、電子機器をユーザの好む状態に制御できる電子機器制御装置を提供する。【解決手段】それぞれの場所に設けられた個人識別情報送信手段７Ａ，７Ｂ，７Ｃ，７Ｄから、当該場所にいる人の個人識別情報を監視制御装置１に送信する。個人識別情報送信手段からの個人識別情報を受信すると共に、当該個人識別情報により識別される人が存在する場所を検出する。検出された個人識別情報に対応する個人情報を、個人識別情報と個人情報とを対応付けて記憶する記憶手段から検索する。検索された個人情報に基づいて、検出された場所に配置されている電子機器に対して、制御信号を送信する。【選択図】　　　　図１
2004096294.tif 000002
【特許請求の範囲】
【請求項１】
電子機器と通信するための通信部と、
個人識別情報と個人情報とを対応付けて記憶する記憶手段と、
前記個人識別情報および、当該個人識別情報により識別される人が存在する場所を検出する検出手段と、
前記検出手段において検出された前記個人識別情報に対応する前記個人情報を前記記憶手段から検索する検索手段と、
前記検索手段により検索された前記個人情報に基づいて、前記検出された場所に配置されている電子機器に対して、制御信号を前記通信部により送信するように制御する制御手段と、
を備えることを特徴とする電子機器制御装置。
【請求項２】
請求項１に記載の電子機器制御装置において、
前記記憶手段は、複数人の個人識別情報および個人情報を記憶すると共に、各人についての優先権情報をも記憶し、
前記制御手段は、前記検出手段で検出された個人識別情報に対応する前記優先権情報に基づく制御信号を前記電子機器に送信する
ことを特徴とする電子機器制御装置。
【請求項３】
請求項１に記載の電子機器制御装置において、
前記制御手段は、前記検出手段で検出された前記個人識別情報に対応する前記個人情報に基づいて、前記検出された場所に存在する複数人についての優先権を判別し、前記優先権に基づく制御信号を前記電子機器に送信する
ことを特徴とする電子機器制御装置。
【請求項４】
１または複数の部屋のそれぞれに配置された電子機器と、
前記１または複数の部屋のそれぞれに配置された電子機器と接続され、前記電子機器を制御可能な電子機器制御装置と、
前記１または複数の部屋のそれぞれに設けられ、それぞれの部屋に入った人の個人識別情報を、前記電子機器制御装置に送信する個人識別情報送信手段と、
を備え、
前記電子機器制御装置は、
前記電子機器と通信する通信部と、
前記１または複数の部屋のそれぞれに設けられた個人識別情報送信手段からの前記個人識別情報を受信する受信部と、
前記受信部で受信した前記個人識別情報が、どの部屋からのものかを検出する検出手段と、
前記個人識別情報と個人情報とを対応付けて記憶する記憶手段と、
前記受信部で受信された前記個人識別情報に対応する前記個人情報を前記記憶手段から検索する検索手段と、
前記検索手段により検索された前記個人情報に基づいて、前記検出手段で検出された部屋に配置されている電子機器に対して、制御信号を前記通信部により送信するように制御する制御手段とを備える
ことを特徴とする電子機器制御システム。
【請求項５】
請求項４に記載の電子機器制御システムにおいて、
前記電子機器制御装置の前記記憶手段は、複数人の個人識別情報および個人情報を記憶すると共に、各人についての優先権情報をも記憶し、
前記電子機器制御装置の前記制御手段は、前記検出手段で取得された個人識別情報に対応する前記優先権情報に基づく制御信号を前記電子機器に送信する
ことを特徴とする電子機器制御システム。
【請求項６】
請求項４に記載の電子機器制御システムにおいて、
前記電子機器制御装置の前記制御手段は、前記受信部で取得された前記個人識別情報に対応する前記個人情報に基づいて、前記検出手段で検出された部屋に存在する複数人についての優先権を判別し、前記優先権に基づく制御信号を前記電子機器に送信する
ことを特徴とする電子機器制御システム。
【請求項７】
それぞれの場所に設けられた個人識別情報送信手段から、当該場所にいる人の個人識別情報を制御装置に送信する個人識別情報送信工程と、
前記個人識別情報送信手段からの前記個人識別情報を受信すると共に、当該個人識別情報により識別される人が存在する場所を検出する検出工程と、
前記検出工程において検出された前記個人識別情報に対応する個人情報を、前記個人識別情報と前記個人情報とを対応付けて記憶する記憶手段から検索する検索工程と、
前記検索工程において検索された前記個人情報に基づいて、前記検出された場所に配置されている電子機器に対して、制御信号を送信する制御工程と、
を備える電子機器制御方法。
【請求項８】
請求項７に記載の電子機器制御方法において、
前記記憶手段は、複数人の個人識別情報および個人情報を記憶すると共に、各人についての優先権情報をも記憶するものであり、
前記制御工程では、前記検出工程で検出された前記個人識別情報に対応する前記優先権情報に基づく制御信号を前記電子機器に送信する
ことを特徴とする電子機器制御方法。
【請求項９】
請求項７に記載の電子機器制御方法において、
前記制御工程では、前記検出工程で検出された前記個人識別情報に対応する前記個人情報に基づいて、前記検出された場所に存在する複数人についての優先権を判別し、前記優先権に基づく制御信号を前記電子機器に送信する
ことを特徴とする電子機器制御方法。
【発明の詳細な説明】
【０００１】
【発明の属する技術分野】
この発明は、例えば、テレビ受像機などの家庭の各部屋に設置される電子機器を統轄して制御する電子機器制御装置および電子機器制御方法に関する。
【０００２】
【従来の技術】
最近は、各家庭においては、テレビ受像機、ＶＴＲ（Ｖｉｄｅｏ　ｔａｐｅ　Ｒｅｃｏｒｄｅｒ）、ＤＶＤ（Ｄｉｇｉｔａｌ　Ｖｅｒｓａｔｉｌｅ　Ｄｉｓｃ）の再生機や記録再生機、オーディオ記録再生システムなどのいわゆるＡＶ（Ａｕｄｉｏ　Ｖｉｓｕａｌ）機器を、各部屋に設置することが多くなってきている。
【０００３】
例えば、リビングには家族兼用のＡＶ機器を設置し、各部屋には各人専用のＡＶ機器を設置することにより、どの部屋にいても、テレビ放送番組や、テープやディスクなどに記録されたコンテンツを再生して視聴することができる環境が整えられるようになってきている。
【０００４】
この場合に、従来は、各部屋に入った人は、例えば放送番組の視聴であれば、例えばリモコン送信機やＡＶ機器に設けられている操作キーを操作することにより、ＡＶ機器の電源をオンにし、希望する番組チャンネルを選択する操作を行なうようにしている。
【０００５】
【発明が解決しようとする課題】
しかしながら、各部屋に入る毎にＡＶ機器をリモコン送信機や操作キーを操作して制御するのは面倒である。
【０００６】
この発明は、ＡＶ機器などの電子機器に対して、煩わしい操作をしなくても良いように制御することができるようにした電子機器制御装置および電子機器制御システムを提供することを目的とする。
【０００７】
【課題を解決するための手段】
上記課題を解決するために、この発明による電子機器制御装置は、
電子機器と通信するための通信部と、
個人識別情報と個人情報とを対応付けて記憶する記憶手段と、
前記個人識別情報および、当該個人識別情報により識別される人が存在する場所を検出する検出手段と、
前記検出手段において検出された前記個人識別情報に対応する前記個人情報を前記記憶手段から検索する検索手段と、
前記検索手段により検索された前記個人情報に基づいて、前記検出された場所に配置されている電子機器に対して、制御信号を前記通信部により送信するように制御する制御手段と、
を備えることを特徴とする。
【０００８】
上述の構成のこの発明によれば、検出手段で、個人識別情報により識別される人が存在する場所、例えばいずれの部屋かを検出する。そして、個人識別情報に対応する個人情報を検索手段により検索して、この検索結果に応じた制御信号を、検出した場所に配置されている電子機器に対して送信する。
【０００９】
したがって、電子機器に対する操作入力をしなくても、利用者が存在する場所の電子機器が、当該利用者が希望する状態になるように制御がなされるようになる。
【００１０】
【発明の実施の形態】
以下、この発明による電子機器制御システムの実施の形態を、図を参照しながら説明する。以下に説明する実施形態の電子機器制御システムは、ホームネットワークシステムの構成とした場合である。
【００１１】
この実施形態では、家の複数の部屋に、テレビジョンセット（以下、ＴＶセットという）やオーディオセット（オーディオコンポーネントシステム等）などの電子機器が設けられると共に、一つの部屋などに設けられた監視制御装置により、それらの電子機器が制御されるように構成される。監視制御装置は、電子機器制御装置を構成する。
【００１２】
この場合に、各部屋には、当該部屋への少なくとも入室者の個人識別情報を、監視制御装置に送る個人識別情報送信手段が設けられる。
【００１３】
監視制御装置は、各部屋からの個人識別情報送信手段からの個人識別情報の受信を監視して、各部屋に誰が入ったかを管理する。そして、監視制御装置は、家族の各々についての趣味／嗜好情報や、過去の電子機器の利用履歴などを含む個人情報を記憶しており、この個人情報に応じて、各部屋に入室した家族に応じた制御信号を、当該部屋の電子機器に対して送出するようにする。
【００１４】
［電子機器制御システムの第１の実施形態の概要］
図１および図２は、第１の実施形態の場合におけるホームネットワークシステムの構成例を説明するための図である。図１は、ネットワーク構成を示す図、図２は、家の間取りの例と共に、ネットワーク構成機器の配置を示す図である。
【００１５】
この例では、例えばリビングルームである部屋Ａには、監視制御装置１が設置される。そして、４つの部屋Ａ，Ｂ，Ｃ，Ｄのそれぞれには、電子機器の例として、ＴＶセット２Ａ，２Ｂ，２Ｃ，２Ｄが設置される。また、部屋Ｂ、部屋Ｃには、オーディオセット３Ｂ，３Ｃも設置される。
【００１６】
監視制御装置１と、各部屋Ａ，Ｂ，Ｃ，Ｄの電子機器であるＴＶセット２Ａ，２Ｂ，２Ｃ，２Ｄおよびオーディオセット３Ｂ，３Ｃとは、この例では、ルータ４を介して通信ができるように接続されている。
【００１７】
なお、この例では、リビングルームである部屋Ａには、記録再生装置の例としてハードディスク装置５が設けられ、ルータ４を介して監視制御装置１に接続されると共に、ＴＶセット２Ａに接続されている。また、ルータ４は、ＡＤＳＬ（Ａｓｙｍｍｅｔｒｉｃ　Ｄｉｇｉｔａｌ　Ｓｕｂｓｃｒｉｂｅｒ　Ｌｉｎｅ）モデム６を通じて電話回線に接続されている。
【００１８】
そして、この実施形態では、各部屋Ａ，Ｂ，Ｃ，Ｄには、個人識別情報送信手段として、監視制御装置１に接続されているＩＤ送受信部７Ａ，７Ｂ，７Ｃ，７Ｄが設けられる。このＩＤ送受信部７Ａ，７Ｂ，７Ｃ，７Ｄのそれぞれは、家族の各々が所持するＩＣカード（個人カード）１０との通信を行って、個人識別情報を取得し、取得した個人識別情報を、監視制御装置１に送信する。
【００１９】
個人カード１０は、制御用ＩＣ（Ｉｎｔｅｇｒａｔｅｄ　Ｃｉｒｃｕｉｔ）が埋め込まれたカードであって、制御用ＩＣ内には、少なくとも自分の個人識別情報（以下、個人ＩＤという）が記憶されるメモリが設けられている。このメモリには、後述する個人情報が記憶されていてもよい。
【００２０】
そして、この例では、個人カード１０の制御用ＩＣとＩＤ送受信部７Ａ，７Ｂ，７Ｃ，７Ｄのそれぞれと電磁誘導や電波などを用いた非接触による通信が可能とされている。この例では、後述するように、ＩＤ送受信部７Ａ，７Ｂ，７Ｃ，７Ｄのそれぞれと個人カード１０との通信は、電磁誘導によって行なわれるようにされている。
【００２１】
また、この実施形態では、玄関ドア８には、ドアロック装置９が設けられている。この例では、ドアロック装置９は、ＩＤ送受信部７Ａ〜７Ｄと同様にして個人カード１０と通信を行ない、その通信に基づいてドア８の施錠、開錠を制御するようにする。
【００２２】
また、この例では、ドアロック装置９は、監視制御装置１に通信可能に接続されており、ＩＤ送受信部７Ａ，７Ｂ，７Ｃ，７Ｄと同様に、個人カード１０との通信により個人カード１０から取得した個人ＩＤを、監視制御装置１に送信する機能も備える。
【００２３】
ドアの施錠、開錠を制御するための鍵情報は、当該家に住む住人の全員に共通の一つとして、各人が、その共通鍵情報を個人カード１０のメモリ内に格納して所持するようにすることもできる。その場合には、ドアロック装置９には、当該共通鍵情報を登録しておく。そして、ドアロック装置９は、通信により、個人カード１０から、その共通鍵情報を受信して認証を行ない、あるいは、受信した共通鍵情報を認証を行なうため監視制御装置１に転送し、当該認証を行なう装置からの認証結果を受けて、ドアの施錠、あるいは開錠を制御するようにすることができる。
【００２４】
しかし、この例では、ドアロック装置９に対する鍵情報としては、このような共通鍵情報を用いるのではなく、さらに進んで、当該家に住む家族の各々の玄関ドアからの入退出を管理することができるようにするため、当該家に住む家族の各々に対応する個人ＩＤを用いるようにする。
【００２５】
このため、ドアロック装置９あるいは鍵情報の認証を行なう装置には、予め、それら当該家族全員の個人ＩＤを登録しておく。そして、ドアロック装置９には、通信により、個人カード１０から、各個人ＩＤを受信する受信手段を設け、自装置で認証を行ない、あるいは、受信した鍵情報としての個人ＩＤを認証を行なう装置に転送し、当該認証を行なう装置からの認証結果を受けて、ドアの施錠、あるいは開錠を制御するようにする。
【００２６】
このように個人カード１０からＩＤ送受信部７Ａ，７Ｂ，７Ｃ，７Ｄあるいはドアロック装置９を通じて取得した個人ＩＤにより、監視制御装置１は、当該家に住む家族のそれぞれについて、玄関ドアからの入退出（在宅または不在）と、在宅の場合にどの部屋にいるかの管理を行なうことができる。
【００２７】
なお、各部屋Ａ，Ｂ，Ｃ，Ｄには、それぞれの部屋に配置されたＴＶセット２Ａ，２Ｂ，２Ｃ，２Ｄなどの電子機器を遠隔制御するためのリモコン送信機１５が設けられている。
【００２８】
［監視制御装置の構成例］
監視制御装置１の内部構成および監視制御装置１と周辺機器との接続状態の構成例を図３に示す。
【００２９】
監視制御装置１は、マイクロコンピュータの構成を備えており、ＣＰＵ（Ｃｅｎｔｒａｌ　Ｐｒｏｃｅｓｓｉｎｇ　Ｕｎｉｔ）１０１に対して、システムバス１０２を介して、プログラムやデータが記録されているＲＯＭ（Ｒｅａｄ　Ｏｎｌｙ　Ｍｅｍｏｒｙ）１０３と、ワークエリア用ＲＡＭ（Ｒａｎｄｏｍ　Ａｃｃｅｓｓ　Ｍｅｍｏｒｙ）１０４と、個人カード１０を所有する家族全員の個人ＩＤおよび個人情報が記憶されている家族情報メモリ１０５と、ドアロック装置９と通信を行なうためのドアロック装置通信インターフェース１０６と、現在時刻を刻むと共に必要なタイマー管理を行なうための時計回路１０７と、制御対象電子機器情報メモリ１０８と、ルータ４を通じた通信を行なうための通信インターフェース１０９と、各部屋Ａ，Ｂ，Ｃ，ＤのＩＤ送受信部７Ａ，７Ｂ，７Ｃ，７Ｄと通信を行なうためのＬＡＮインターフェース１１０が接続されている。
【００３０】
さらに、システムバス１０２には、ＬＣＤ（Ｌｉｑｕｉｄ　Ｃｒｙｓｔａｌ　Ｄｉｓｐｌａｙ；液晶表示装置）コントローラ１１１を介してＬＣＤ１１２が接続され、また、インターフェース１１３を介して、リモコン送信機１５からのリモコン信号を受信するリモコン受信部１１４が、それぞれ接続されている。
【００３１】
家族情報メモリ１０５は、例えばＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）で構成される。そして、この家族情報メモリ１０５には、家族構成員の各々についての個人プロファイル情報が記憶されている。
【００３２】
図４に、一人分の個人プロファイル情報の例を示す。図４に示すように、個人プロファイル情報は、個人ＩＤ（個人識別情報）と個人情報とが対応付けられて記憶された情報である。
【００３３】
個人ＩＤは、例えば１２桁の数字からなり、この例では家族に共通の家族識別用の複数桁の数字部分と、個人ごとに固有の個人識別用の複数桁の数字部分を含む。個人ＩＤは、このようなものに限られるものではなく、同じ家族を構成する構成メンバー同士であっても、全く異なる複数桁の、数字、アルファベット、記号などの各種の文字を組み合わせたものを用いることも可能である。
【００３４】
図４の例においては、個人情報としては、パスワード情報、氏名、住所、生年月日、年齢、続柄、登録日、銀行口座番号、所有している車、趣味／嗜好情報、家の玄関８からの入退出履歴情報などが家族情報メモリ１０５に記憶される。
【００３５】
趣味／嗜好情報としては、例えば、好きなテレビ番組のジャンル（ドラマ、スポーツ、ドキュメンタリーなど）、好きな音楽のジャンル（ジャズ、ポップス、クラシックなど）、好きな映画のジャンル（恋愛映画、時代劇、ＳＦ、アクション映画など）などが記憶される。また、図４には記述されていないが、釣り、ゴルフなどの趣味の情報も記憶される。
【００３６】
この例の入退出履歴情報には、外出時刻、帰宅時刻が記憶されるほか、外出中であるか、在宅であるかの在／不在フラグが含まれる。この入退出履歴情報は、監視制御装置１が玄関ドア８を通じての家族の入退出を管理するために用いられる。
【００３７】
また、この実施形態では、家族情報メモリ１０５には、電子機器毎の家族についての優先権情報が記憶されている。この優先権情報は、電子機器の使用についての家族の各人の優先順位の情報である。例えば、ＴＶセットの場合であれば、放送番組の視聴の優先権（いわゆる選局チャンネルについての優先権）になる。
【００３８】
この優先権情報は、全ての電子機器に共通のものであってもよいし、各電子機器ごとに設定するようにしてもよい。また、この優先権情報は、年齢別、時間帯別、曜日別に設定可能である。また、電子機器がＴＶセットやラジオ受信機などの放送受信装置の場合には、優先権情報は、上記の区分けに加えて、放送番組内容別、番組スポンサー別などによっても設定可能である。
【００３９】
図５は、全ての電子機器について共通に設定された優先権情報の場合の一例である。この図５の例は、父、母、子供の３人家族の場合における優先権テーブルである。この図５の例においては、数字が小さいほど優先順位が高い（優先権が強い）ことを意味している。
【００４０】
なお、図５の優先権情報テーブルの情報は、家族情報メモリ１０５ではなく、別のメモリに格納するようにしても良いことは言うまでもない。
【００４１】
後述するように、監視制御装置１では、各部屋の電子機器を制御する際には、この家族情報メモリ１０５の個人プロファイル情報および優先権情報を参照し、それら参照情報に基づいて電子機器の制御信号を生成する。
【００４２】
さらに、この家族情報メモリ１０５には、現在時点における在宅者がどの部屋に存在するかの在室管理情報も格納される。この在室管理情報も、監視制御装置１において、電子機器の制御の際に参照される場合もある。
【００４３】
図６は、家族情報メモリ１０５に記憶される在室管理情報テーブルの例である。図６の例は、在宅者の情報として、個人ＩＤのうちの個人識別用の複数桁数字部分が用いられている場合である。図６の例では、簡単のため、個人識別用の複数桁数字部分は、２桁としている。図６の例で、個人識別用の数字が記入されている部屋には、当該数字で識別される人が在室していることを示しており、個人識別用の数字が記入されていない部屋には、在室者が無いことを示している。図６の例では、部屋Ａに父親と子供が在室し、部屋Ｄに母親が在室し、部屋ＢとＣには、誰も在室していない状況を表わしている。
【００４４】
ドアロック装置通信インターフェース１０６は、後述するように、ドアロック装置９から送られてくる個人ＩＤの情報を受けるためのものである。
【００４５】
監視制御装置１は、時計回路１０７で刻まれた時刻情報から現在時刻を知り、前記優先権情報を参照して、当該時刻における家族の各人の優先権を判別したりする。
【００４６】
制御対象電子機器情報メモリ１０８には、制御対象の電子機器として、各部屋Ａ，Ｂ，Ｃ，Ｄのそれぞれにどのような電子機器が配置されているかの情報が記憶されている。電子機器情報としては、各電子機器の識別情報（機器ＩＤ）と、その電子機器が何であるかの情報と、その電子機器が備える機能などの情報からなる。
【００４７】
通信インターフェース１０９は、この例では、ルータ４に接続されている。ルータ４には、前述したように、各部屋Ａ，Ｂ，Ｃ，Ｄに配置されている電子機器が接続されていると共に、ＡＤＳＬモデム６を通じて電話回線が接続されている。
【００４８】
［個人カード１０の構成例］
次に、個人カード１０について説明する。図７は、この実施の形態で用いられる個人カード１０の構成例を説明するための図である。図７（Ａ）は、個人カード１０の表面を示し、この表面には、所有者の氏名と、所定のＩＤ番号が表示されている。
【００４９】
また、図７（Ｂ）は、個人カード１の内部構成例を示しており、この個人カード１０内には、ＩＤ送受信部７Ａ〜７Ｄやドアロック装置９に設けられるリード／ライト部と通信を行なうための電磁誘導用のアンテナ１１と、制御用ＩＣ１２とが内蔵されている。
【００５０】
制御用ＩＣ１２内には、ＣＰＵやメモリを含み、メモリには、所有者の氏名、個人ＩＤの他、所有者のその他の必要な個人情報、つまり前述した個人プロファイル情報が記憶されている。
【００５１】
また、制御用ＩＣ１２内のメモリに、各所有者が行ったＩＤ送受信部７Ａ〜７Ｄやドアロック装置９との通信の時刻や履歴、各所有者の外出、帰宅の履歴などが書き込まれるようにされている。なお、これらの履歴情報は、監視制御装置１の家族情報メモリ１０５にも記憶されるものである。
【００５２】
［ＩＤ送受信部７Ａ〜７Ｄの構成例］
次に、個人カード１０からの情報を読み取ることにより、家族の各部屋への入室と退室とを検知できるようにするためのＩＤ送受信部７Ａ〜７Ｄの構成例について説明する。
【００５３】
図８は、ＩＤ送受信部７Ａ〜７Ｄの外観を説明するための図であり、図９は、ＩＤ送受信部７Ａ〜７Ｄの構成を説明するためのブロック図である。ＩＤ送受信部７Ａ〜７Ｄは、全て同一の構成を備えるものであるので、図８および図９には、一つのＩＤ送受信部の構成例を示してある。
【００５４】
この例のＩＤ送受信部７Ａ〜７Ｄのそれぞれは、各部屋Ａ，Ｂ，Ｃ，Ｄの照明器具のスイッチパネルを兼用しており、部屋の壁に取り付けられている。そして、個人カード１０をＩＤ送受信部７Ａ〜７Ｄにかざすと、ＩＤ送受信部７Ａ〜７Ｄのそれぞれは、個人カード１０から個人ＩＤを取得して、監視制御装置１に送ると共に、照明器具の点灯／消灯することができるように構成されている。
【００５５】
図８に示すように、ＩＤ送受信部７Ａ〜７Ｄのそれぞれは、壁面に取り付けられたパネル面７１に、個人カード１０と通信を行なうためのリード／ライト部７２と、個人カード１０からのデータの読み取り状態などを使用者に通知するための複数個のＬＥＤ（Ｌｉｇｈｔ　Ｅｍｉｔｔｉｎｇ　Ｄｉｏｄｅ；発光ダイオード）７３が設けられて構成されている。
【００５６】
ＩＤ送受信部７Ａ〜７Ｄのパネル面７１は、この例では、個人カード１０と同様に長方形状とされるが、その大きさは個人カード１０よりも若干大きいものとされ、個人カード１０との通信を信頼性高く行なうことができるようにしている。
【００５７】
ＩＤ送受信部７Ａ〜７Ｄのそれぞれは、図９に示すように、マイクロコンピュータで構成される制御部７０を備える。すなわち、この制御部７０は、ＣＰＵ７０１に対して、システムバス７０２を介して、ＲＯＭ７０３と、ＲＡＭ７０４と、時計回路７０５と、照明制御部７０６と、ＬＥＤ駆動部７０７と、監視制御装置１と通信を行なうためのＬＡＮインターフェース７０８と、リード／ライト部７２が接続されるインターフェース７０９とが接続されている。
【００５８】
リード／ライト部７２は、電磁誘導の作用により、これにかざされた個人カード１０に記憶されているデータを読み出して、制御部７０に供給したり、また、制御部７０からのデータを個人カード１０に書き込んだりすることができるものである。
【００５９】
また、制御部７０は、インターフェース７０９を通じて、監視制御装置１との間でデータの送受を行なうことができるとともに、ＬＥＤ駆動部７０７を制御することにより、ＬＥＤ７３のそれぞれの点灯、消灯、点滅などを制御することができる。
【００６０】
［ドアロック装置９の構成例］
次に、ドアロック装置９の具体的構成例およびその動作について、詳細に説明する。なお、以下に説明する例では、個人ＩＤが用いられる鍵情報の認証は、ドアロック装置９自身が行なうものとするが、監視制御装置１がドアロック装置９から鍵情報を受け取って認証を行ない、その認証結果をドアロック装置１に送るようにしてもよい。
【００６１】
［ドアロック装置の構成］
図１０（Ａ）および図１０（Ｂ）は、ドアロック装置９の構成例を説明するための図である。図１０（Ａ）は、家の外側から玄関ドア８のドアロック装置９の取り付け部分近傍を見た図である。また、図１０（Ｂ）は、玄関ドア８のドアロック装置９の取り付け部分近傍を、玄関ドア８の端面側から見た図である。
【００６２】
この例のドアロック装置９においては、玄関ドア８の外側（戸外側）には、個人カード１０と通信を行なうための外側リード／ライト部２１ｅｘと、個人カード１０からの鍵情報の認証結果や玄関ドア８の施錠または開錠を視覚的に知らせるための表示素子の例としての外側ＬＥＤ（Ｌｉｇｈｔ　Ｅｍｉｔｔｉｎｇ　Ｄｉｏｄｅ；発光ダイオード）２２ｅｘと、個人カード１０からの鍵情報の認証結果や玄関ドア８の施錠または開錠を音声により知らせるための外側スピーカ２３ｅｘと、外側ドアノブ２４ｅｘとが設けられている。
【００６３】
また、玄関ドア８の内側（屋内側）にも、個人カード１０と通信を行なうための内側リード／ライト部２１ｉｎと、個人カード１０の認証結果や玄関ドア８の施錠または開錠を視覚的に知らせるための表示素子の例としての内側ＬＥＤ２２ｉｎと、個人カードの認証結果や玄関ドア８の施錠または開錠を音声により知らせるための内側スピーカ２３ｉｎと、内側ドアノブ２４ｉｎとが設けられている。
【００６４】
玄関ドア８には、さらに、玄関ドア係止片２５と、ロック片２６と、ドア開閉センサ２７が設けられている。さらに、玄関ドア８の内側には、ドアロック装置９の動作を制御するためのドアロック制御装置２００が設けられており、電子鍵リード／ライト部２１ｅｘおよび２１ｉｎ、ＬＥＤ２２ｅｘおよび２２ｉｎ、スピーカ２３ｅｘおよび２３ｉｎ、ドア開閉センサ２７および図示を省略したドアロック機構駆動部が、このドアロック制御装置２００に接続されている。
【００６５】
玄関ドア係止片２５は、ドアノブ２４ｅｘあるいはドアノブ２４ｉｎの操作に応じて、玄関ドア８の端面８ａに垂直な方向に弾性的に摺動移動する部材である。この係止片２５は、玄関ドア８が開放された状態では、内部に設けられているバネ部材により、図１０のように突出する状態となる。玄関ドア８を閉めるにつれて、バネ部材の偏倚力に抗して、この係止片２５はドア８内に引っ込むようになるが、玄関ドア８が完全に閉めた状態では、バネ部材の偏倚力によって、玄関ドア８の端面８ａに対向する壁部の面に設けられた凹部に収まるようになり、玄関ドア８を閉めた状態で係止するようにする。
【００６６】
この係止片２５は、後述するオートロックモードでない場合において、玄関ドア８が施錠されていないときにも、玄関ドア８の端面８ａと対向する壁の端面側に設けられる凹部に勘合して、玄関ドア８を、係止するためのものである。
【００６７】
ロック片２６は、ドアロック機構の一部を構成する部材であり、図１０では図示を省略したドアロック機構駆動部によりドアロック機構が駆動されることにより、玄関ドアの端面８ａに垂直な方向に摺動移動して、玄関ドア８を施錠するときには、図１０のように、玄関ドア８の端面８ａから突出する状態に固定され、玄関ドア８を開錠するときには、玄関ドア８の端面８ａから突出しない状態に固定される。
【００６８】
なお、図示は省略したが、玄関ドア８の端面８ａと対向する壁の端面には、このロック片２６が突出した状態のときに嵌合される凹部が形成されており、ロック片２６が当該凹部に嵌合される状態が玄関ドアの施錠状態となる。そして、ロック片２６が玄関ドア８側に引っ込んで、当該凹部に嵌合していないときには、施錠状態が解除されて、開錠状態になる。
【００６９】
玄関ドア開閉センサ２７は、例えば光学式センサが用いられ、玄関ドア８が開けられたときは外部光を検知することにより、それを検知し、玄関ドア８が閉じられたときには、玄関ドア８の端面８ａが、壁の端面と衝合することにより外部光が遮断されることを検知することにより、それを検知して、玄関ドア８の開閉を検知する。
【００７０】
［ドアロック制御装置２００の説明］
次に、ドアロック制御装置２００を中心にしたドアロック装置９の電気的な構成例を図１１に示す。
【００７１】
すなわち、ドアロック制御装置２００は、マイクロコンピュータの構成を備えており、ＣＰＵ２０１に対してシステムバス２０２を介してプログラムやデータが記録されているＲＯＭ２０３と、ワークエリア用ＲＡＭ２０４と、鍵情報となる個人ＩＤが記憶されている家族情報メモリ２２０と、監視制御装置１と通信を行なうための通信インターフェース２２１とが接続されている。
【００７２】
家族情報メモリ２２０には、予め玄関ドア８の開閉を行なう家族のそれぞれが所持する個人カード１０に記憶されている個人ＩＤが、電子鍵情報として登録されて格納されている。また、各家族構成員（または住人）の年齢、性別、続き柄、その他の個人情報も、併せて家族情報メモリ１２０には、格納されている。
【００７３】
また、システムバス２０２には、インターフェース２０５および２０６を介して内側リード／ライト部２１ｉｎおよび外側リード／ライト部２１ｅｘが接続され、また、内側ＬＥＤ駆動部２０７を介して内側ＬＥＤ２２ｉｎが接続され、外側ＬＥＤ駆動部２０８を介して外側ＬＥＤ２２ｅｘが接続され、さらに、音声出力インターフェース２０９を介して内側スピーカ２３ｉｎが接続され、音声インターフェース２１０を介して外側スピーカ２３ｅｘが接続される。
【００７４】
さらに、システムバス２０２には、インターフェース２１１を介してドア開閉センサ２７が接続されると共に、ドアロック機構駆動部２１２を介して、ロック片２６を摺動駆動させるドアロック機構２８が接続される。
【００７５】
リード／ライト部２１ｅｘまたは２１ｉｎは、電磁誘導により、個人カード１０と通信を行なう通信部を構成する。
【００７６】
この例のドアロック制御装置２００は、ドアロック制御モードとして、オートロックモードと、逐次ロックモードとの２通りの制御モードを備えている。
【００７７】
オートロックモードは、ドアロック制御装置２００が、リード／ライト部２１ｅｘ，２１ｉｎを介して個人カードと通信することに基づき玄関ドア８を開錠した後、所定時間後に自動的に玄関ドアを施錠状態にするモードである。オートロックモードにおいては、常に、内側と外側のリード／ライト部２１ｅｘ，２１ｉｎの両方を用いるものとなる。
【００７８】
また、逐次ロックモードは、少なくとも玄関ドア８の外側のリード／ライト部２１ｅｘを通じて個人カードと通信することに基づき玄関ドアの施錠、開錠の状態を、そのときの状態とは逆の状態にするモードである。この逐次ロックモードにおいても、内側と外側のリード／ライト部２１ｅｘ，２１ｉｎの両方を用いることができるが、内側は、別途のマニュアルの施錠手段により施錠するようにした場合には、外側のリード／ライト部２１ｅｘを通じた個人カードとの通信のみにより、玄関ドア８の施錠、開錠動作を行なわせるようにすることができる。この逐次ロックモードは、従来からの一般的な鍵による施錠、開錠の方法に合わせたモードである。
【００７９】
ドアロック装置９のドアロック制御モードをオートロックモードとするか、逐次ロックモードとするかの選択設定は、この例では、例えば、ドアロック装置９を取り付ける際に、作業者により監視制御装置１を通じて行なわれる。
【００８０】
ドアロック装置９がいずれのドアロック制御モードに設定されているかの情報は、ドアロック制御装置２００内の図示を省略した不揮発性メモリに格納されており、ドアロック制御装置２００は、当該不揮発性メモリの記憶情報を参照することにより、自装置のドアロック制御モードが、オートロックモードか、逐次ロックモードかを認識するものである。監視制御装置１を通じたドアロック制御モードの設定動作に関しては、後述する。
【００８１】
なお、ドアロック装置９のドアロック制御モードをオートロックモードとするか、逐次ロックモードとするかの選択設定は、監視制御装置１を通じて行なうのではなく、ドアロック装置９に直接的に行なうようにすることもできる。例えば、予め、ドアロック装置９の出荷時に、いずれのドアロック制御モードにするかの設定をドアロック装置９に行なっておくようにしても良い。また、ドアロック装置９に、ドアロック装置９の設置作業者が操作可能な入力操作手段、例えばディップスイッチ等を設けておき、当該入力操作手段を通じて、ドアロック制御モードの設定を行なうようにしてもよい。
【００８２】
次に、オートロックモードと、逐次ロックモードのそれぞれの場合のドアロック装置２の動作について説明する。以下に説明するフローチャートにおける各ステップＳの動作は、ドアロック制御装置２００のＣＰＵ２０１が主として実行する処理動作である。
【００８３】
［オートロックモード；図１２〜図１５］
オートロックモードのときの動作を、図１２〜図１５のフローチャートを参照しながら説明する。このオートロックモードのときには、玄関ドア８は、定常状態では、施錠状態とされる。そして、個人カード１０が、内側リード／ライト部２１ｉｎまたは外側リード／ライト部２１ｅｘにかざされて通信が両者の間で行なわれ、個人ＩＤについての認証がとれたときには、所定時間のみ玄関ドアを開錠し、所定時間後に、自動的に玄関ドア８は施錠状態に戻るように、ドアロック制御装置２００により制御されるものである。
【００８４】
ＣＰＵ２０１は、インターフェース２０５，２０６を介して、内側リード／ライト部２１ｉｎおよび外側リード／ライト部２１ｅｘを監視し、個人カード１０がかざされて、個人カード１０と内側リード／ライト部２１ｉｎまたは外側リード／ライト部２１ｅｘとの間で通信が行われるのを待つ（ステップＳ１）。
【００８５】
そして、ステップＳ１において、個人カード１０がかざされて、個人カード１０と通信が行なわれたと判別したときには、ＣＰＵ２０１は、個人ＩＤを含む個人情報を個人カード１０から受信し、例えばＲＡＭ２０４などに一時的に格納する（ステップＳ２）。このとき、ドアロック制御装置２００が備える時計回路（図示を省略）の時刻情報が、個人カード１０に与えられ、制御用ＩＣ内１２のメモリに書き込まれる。また、内側リード／ライト部２１ｉｎまたは外側リード／ライト部２１ｅｘのどちらと通信をしたかの情報として、通信相手のＩＤ等が制御用ＩＣ１２のメモリに書き込まれる。
【００８６】
次に、ＣＰＵ２０１は、内側リード／ライト部２１ｉｎまたは外側リード／ライト部２１ｅｘのどちらで個人カード１０と通信が行われたかを判別する（ステップＳ３）。その判別結果と、前記の通信の時刻情報とは、家族情報メモリ２２０の、前記個人ＩＤに対応する家人の記録エリアにも書き込まれ、また、監視制御装置１にも、その家族情報メモリ２０５に記憶させるために転送される。
【００８７】
［内側リード／ライト部２１ｉｎでの通信の場合；図１２〜図１３］
ステップＳ３で、個人カード１０と通信が行われたのが内側リード／ライト部２１ｉｎであると判別したときには、ＣＰＵ２０１は、在宅者が外出する場合であるとして、以下のような処理を行なう。
【００８８】
ＣＰＵ２０１は、先ず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置９に登録された個人カード１０であるか否かを判別して、当該個人カード１０についての認証を行なう（ステップＳ４）。
【００８９】
そして、その認証結果を判別し（ステップＳ５）、家族情報メモリ２２０に記憶されている個人ＩＤの中に、個人カード１０から受信した個人ＩＤと一致するものがなくて認証が取れなかったとき（認証ＮＧ）であると判別したときには、ＣＰＵ２０１は、内側ＬＥＤ駆動部２０７を駆動して、内側ＬＥＤ２２ｉｎを赤色で点滅させると共に、内側スピーカ２３ｉｎから警告音を放音して、認証ＮＧであることを個人カード１０の使用者に報知する（ステップＳ６）。そして、ドアロック機構２８は施錠状態のままとして、ステップＳ１に戻る。
【００９０】
また、ステップＳ５で、家族情報メモリ２２０に記憶されている個人ＩＤの中に、個人カード１０から受信した個人ＩＤと一致するものがあって、認証がＯＫであると判別したときには、ＣＰＵ２０１は、内側ＬＥＤ駆動部２０７を駆動して、内側ＬＥＤ２２ｉｎを緑色で１秒間点灯させ、認証ＯＫであることを個人カード１０の使用者に報知する（ステップＳ７）。このとき、ＣＰＵ２０１により、併せて内側スピーカ２３ｉｎから「認証がとれました」というメッセージを放音させるようにしても良い。
【００９１】
そして、このとき、認証がＯＫであることから、ＣＰＵ２０１は、ドアロック機構駆動部２１２を駆動制御して、ドアロック機構２８により玄関ドア８を開錠状態にし（ステップＳ８）、内側スピーカ２３ｉｎから、「ドアロックを解除しました」というメッセージを放音させる（ステップＳ９）。このとき、内側ＬＥＤ２２ｉｎを、例えば緑色で点滅させ、ドアロックの解除状態を個人カード１０の使用者に報知するようにしてもよい。
【００９２】
このとき、ＣＰＵ２０１は、個人カード１０により内側から玄関ドア８が開錠されたことを認識していることに基づき、当該個人カード１０の使用者（在宅者）が外出しようとしていると認識する。
【００９３】
次に、ＣＰＵ２０１は、ドア開閉センサ２７のセンサ出力をインターフェース２１１を通じて取り込み、玄関ドア８が開けられた否か監視する（ステップＳ１１）。そして、ＣＰＵ２０１は、玄関ドア８が開けられずに所定時間、例えば１０秒経過したかどうかを判別し（ステップＳ１２）、１０秒経過したと判別したときには、玄関ドア８を自動的に施錠状態に戻すようにする（ステップＳ１３）。そして、ＣＰＵ２０１は、内側ＬＥＤ２２ｉｎを緑色で点滅して、玄関ドア８が施錠状態に戻ったことを報知する（ステップＳ１４）。
【００９４】
また、ステップＳ１１で、ステップＳ８での開錠後、１０秒以内に玄関ドア８が開かれたと判別したときには、ＣＰＵ２０１は、ステップＳ２で取り込んだ個人ＩＤで示される在宅者が外出をしたと認識して、当該個人ＩＤを含む個人情報を、外出者情報として監視制御装置１に転送する（ステップＳ１５）。
【００９５】
その後、ＣＰＵ２０１は、ドア開閉センサ２７のセンサ出力を参照して、玄関ドア８が閉じられたことを確認し（ステップＳ１６）、玄関ドア８が閉じられた後、所定時間、例えば３秒経過したことを確認したら（ステップＳ１７）、ドアロック機構駆動部２１２を駆動制御して、ドアロック機構２８により玄関ドア８を施錠状態に復帰させるようにする（ステップＳ１８）。そして、ＣＰＵ２０１は、外側ＬＥＤ２２ｅｘを緑色で点滅して、玄関ドア８が施錠状態に戻ったことを報知する（ステップＳ１９）。この外側ＬＥＤ２２ｅｘの緑色点滅は、所定時間、例えば１０秒間続けられる。そして、その後、ステップＳ１に戻る。
【００９６】
［外側リード／ライト部２１ｅｘでの通信の場合；図１４、図１５］
ステップＳ１で、個人カード１０と通信が行われたのが外側リード／ライト部２１ｅｘであると判別したときには、ＣＰＵ２０１は、家人が帰宅した場合あるいはその他の外にいる者の入室要求であるとして、以下のような処理を行なう。
【００９７】
ＣＰＵ２０１は、まず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置９に登録された電子鍵カードであるか否かを判別して、当該個人カード１０についての認証を行なう（ステップＳ２１）。
【００９８】
そして、その認証結果を判別し（ステップＳ２２）、家族情報メモリ２２０に記憶されている個人ＩＤの中に、個人カード１０から受信した個人ＩＤと一致するものがなくて認証が取れなかったとき（認証ＮＧ）であると判別したときには、ＣＰＵ２０１は、外側ＬＥＤ駆動部２０８を駆動して、外側ＬＥＤ２２ｅｘを赤色で点滅させると共に、外側スピーカ２３ｅｘから警告音を放音して、認証ＮＧであることを個人カード１０の使用者に報知する（ステップＳ２３）。そして、ドアロック機構２８は施錠状態のままとして、ステップＳ１に戻る。
【００９９】
また、ステップＳ２２で、家族情報メモリ２２０に記憶されている個人ＩＤの中に、個人カード１０から受信した個人ＩＤと一致するものがあって、認証がＯＫであると判別したときには、ＣＰＵ２０１は、外側ＬＥＤ駆動部２０８を駆動して、外側ＬＥＤ２２ｅｘを緑色で１秒間点灯させ、認証ＯＫであることを個人カード１０の使用者に報知する（ステップＳ２４）。このとき、ＣＰＵ２０１により、併せて外側スピーカ２３ｅｘから「認証がとれました」というメッセージを放音させるようにしても良い。
【０１００】
そして、このとき、認証がＯＫであることから、ＣＰＵ２０１は、ドアロック機構駆動部２１２を駆動制御して、ドアロック機構２８により玄関ドア８を開錠状態にし（ステップＳ２５）、外側スピーカ２３ｅｘから、「ドアロックを解除しました」というメッセージを放音させる（ステップＳ２６）。このとき、外側ＬＥＤ２２ｅｘを、例えば緑色で点滅させ、ドアロックの解除状態を個人カード１０の使用者に報知するようにしてもよい。
【０１０１】
次に、ＣＰＵ２０１は、ドア開閉センサ２７のセンサ出力をインターフェース２１１を通じて取り込み、玄関ドア８が開けられた否か監視する（ステップＳ２７）。そして、ＣＰＵ２０１は、玄関ドア８が開けられずに所定時間、例えば１０秒経過したかどうかを判別し（ステップＳ２８）、１０秒経過したと判別したときには、玄関ドア８を自動的に施錠状態に戻すようにする（ステップＳ２９）。そして、ＣＰＵ２０１は、外側ＬＥＤ２２ｅｘを緑色で点滅して、玄関ドア８が施錠状態に戻ったことを報知する（ステップＳ３０）。
【０１０２】
次に、ステップＳ２７で、ステップＳ２５での開錠後、１０秒以内に玄関ドア８が開かれたと判別したときには、ＣＰＵ２０１は、ステップＳ２で取り込んだ個人ＩＤで示される外出者が帰宅したと認識して、当該個人ＩＤを、帰宅者情報として監視制御装置１に転送する（図１５のステップＳ３１）。
【０１０３】
その後、ＣＰＵ２０１は、ドア開閉センサ２７のセンサ出力を参照して、玄関ドア８が閉じられたことを確認し（ステップＳ３２）、玄関ドア８が閉じられた後、所定時間、例えば３秒経過したことを確認したら（ステップＳ３３）、ドアロック機構駆動部２１２を駆動制御して、ドアロック機構２８により玄関ドア８を施錠状態に復帰させるようにする（ステップＳ３４）。そして、ＣＰＵ２０１は、内側ＬＥＤ２２ｉｎを緑色で点滅して、玄関ドア８が施錠状態に戻ったことを報知する（ステップＳ３５）。そして、ステップＳ１に戻る。
【０１０４】
［逐次ロックモードの説明；図１６〜図１７］
次に、逐次ロックモードのときの動作を、図１６および図１７のフローチャートを参照しながら説明する。この逐次ロックモードのときには、個人カード１０が、内側リード／ライト部２１ｉｎまたは外側リード／ライト部２１ｅｘにかざされて通信が両者の間で行なわれ、個人ＩＤについての認証がとれたときには、そのときの玄関ドア８の開錠あるいは施錠の状態とは逆の状態になるように、ドアロック機構２８は、ドアロック制御装置２００により制御されるものである。
【０１０５】
ＣＰＵ２０１は、インターフェース１０５，１０６を介して、内側リード／ライト部２１ｉｎおよび外側リード／ライト部２１ｅｘを監視し、個人カード１０がかざされて、個人カード１０と内側リード／ライト部２１ｉｎまたは外側リード／ライト部２１ｅｘとの間で通信が行われるのを待つ（ステップＳ４１）。
【０１０６】
そして、ステップＳ４１において、個人カード１０がかざされて、個人カード１０と通信が行なわれたと判別したときには、ＣＰＵ２０１は、個人ＩＤを含む個人情報を個人カード１０から受信し、例えばＲＡＭ２０４などに一時的に格納する（ステップＳ４２）。このとき、前述と同様に、個人カード１０には時刻情報等が書き込まれると共に、家族情報メモリ２２０および監視制御装置１の家族情報メモリ２０５への時刻情報等の書き込みが行なわれる。
【０１０７】
内側リード／ライト部２１ｉｎまたは外側リード／ライト部２１ｅｘのどちらで個人カード１０と通信が行われたかを判別する（ステップＳ４３）。
【０１０８】
［内側リード／ライト部２１ｉｎでの通信の場合；図１６］
ステップＳ４３で、個人カード１０と通信が行われたのが内側リード／ライト部２１ｉｎであると判別したときには、ＣＰＵ２０１は、在宅者が外出する場合あるいは玄関ドア８をセキュリティのために施錠する場合であるとして、以下のような処理を行なう。
【０１０９】
ＣＰＵ２０１は、先ず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置９に登録された個人カードであるか否かを判別して、当該個人カード１０についての認証を行なう（ステップＳ４４）。
【０１１０】
そして、その認証結果を判別し（ステップＳ４５）、家族情報メモリ２２０に記憶されている個人ＩＤの中に、個人カード１０から受信した個人ＩＤと一致するものがなくて、認証が取れなかったとき（認証ＮＧ）であると判別したときには、ＣＰＵ２０１は、内側ＬＥＤ駆動部２０７を駆動して、内側ＬＥＤ２２ｉｎを赤色で点滅させると共に、内側スピーカ２３ｉｎから警告音を放音して、認証ＮＧであることを個人カード１０の使用者に報知する（ステップＳ４６）。そして、ドアロック機構２８は、その前の状態のままとして、ステップＳ４１に戻る。
【０１１１】
また、ステップＳ４５で、家族情報メモリ２２０に記憶されている個人ＩＤの中に、個人カード１０から受信した個人ＩＤと一致するものがあって、認証がＯＫであると判別したときには、ＣＰＵ２０１は、内側ＬＥＤ駆動部１０７を駆動して、内側ＬＥＤ２２ｉｎを緑色で１秒間点灯させ、認証ＯＫであることを個人カード１０の使用者に報知する（ステップＳ４７）。このとき、ＣＰＵ２０１により、併せて内側スピーカ２３ｉｎから「認証がとれました」というメッセージを放音させるようにしても良い。
【０１１２】
そして、ＣＰＵ２０１は、現在のドアロック機構２８による玄関ドア８のロック状態は、施錠状態になっているか否か判別する（ステップＳ４８）。このステップＳ４８で、ドアロック機構２８による玄関ドア８のロック状態が、開錠状態であると判別したときには、その逆の状態である施錠状態にするように、ドアロック機構駆動部２１２を駆動制御する（ステップＳ４９）。
【０１１３】
そして、ＣＰＵ２０１は、内側ＬＥＤ２２ｉｎを、例えば緑色で点滅させると共に、内側スピーカ２３ｉｎから、「玄関ドアを施錠しました」というメッセージを放音させ、施錠状態にしたことを個人カード１０の使用者に報知するようにする（ステップＳ５０）。
【０１１４】
そして、ＣＰＵ２０１は、ステップＳ４２で取り込んだ個人ＩＤで示される者が、セキュリティのために施錠をしたと認識して、当該個人ＩＤを含む個人情報を、在宅者情報として監視制御装置１に転送する（ステップＳ５１）。
【０１１５】
また、ステップＳ４８で、現在のドアロック機構２８のロック状態は、施錠状態であると判別したときには、ＣＰＵ２０１は、ドアロック機構駆動部２１２を駆動制御して、ドアロック機構２８を開錠状態にし（ステップＳ５２）、内側ＬＥＤ２２ｉｎを、例えば緑色で点滅させると共に、内側スピーカ２３ｉｎから、「ドアロックを解除しました」というメッセージを放音させる（ステップＳ５３）。
【０１１６】
そして、このときには、ＣＰＵ２０１は、ステップＳ４２で取り込んだ個人ＩＤで示される者が、開錠をして外出をしたと認識して、当該個人ＩＤを含む個人情報を、外出者情報として監視制御装置１に転送する（ステップＳ５４）。
【０１１７】
［外側リード／ライト部２１ｅｘでの通信の場合；図１７］
ステップＳ４３で、個人カード１０と通信が行われたのが外側リード／ライト部２１ｅｘであると判別したときには、ＣＰＵ２０１は、家人が帰宅して開錠する場合あるいは家人が外出のため施錠する場合であるとして、以下のような処理を行なう。
【０１１８】
ＣＰＵ２０１は、まず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置９に登録された個人カードであるか否かを判別して、当該個人カード１０についての認証を行なう（ステップＳ６１）。
【０１１９】
そして、その認証結果を判別し（ステップＳ６２）、家族情報メモリ２２０に記憶されている個人ＩＤの中に、個人カード１０から受信した個人ＩＤと一致するものがなくて、認証が取れなかったとき（認証ＮＧ）であると判別したときには、ＣＰＵ２０１は、外側ＬＥＤ駆動部２０８を駆動して、外側ＬＥＤ２２ｅｘを赤色で点滅させると共に、外側スピーカ２３ｅｘから警告音を放音して、認証ＮＧであることを個人カード１０の使用者に報知する（ステップＳ６３）。そして、ドアロック機構２８は施錠状態のままとして、ステップＳ４１に戻る。
【０１２０】
また、ステップＳ２２で、家族情報メモリ２２０に記憶されている個人ＩＤの中に、個人カード１０から受信した個人ＩＤと一致するものがあって、認証がＯＫであると判別したときには、ＣＰＵ２０１は、外側ＬＥＤ駆動部２０８を駆動して、外側ＬＥＤ２２ｅｘを緑色で１秒間点灯させ、認証ＯＫであることを個人カード１０の使用者に報知する（ステップＳ６４）。このとき、ＣＰＵ２０１により、併せて外側スピーカ２３ｅｘから「認証がとれました」というメッセージを放音させるようにしても良い。
【０１２１】
そして、ＣＰＵ２０１は、現在のドアロック機構２８のロック状態は、施錠状態になっているか否か判別する（ステップＳ６５）。このステップＳ６５で、現在のドアロック機構２８による玄関ドア８のロック状態は、施錠状態であると判別したときには、ＣＰＵ２０１は、ドアロック機構駆動部２１２を駆動制御して、ドアロック機構２８により玄関ドア８を開錠状態にし（ステップＳ６６）、内側ＬＥＤ２２ｉｎを、例えば緑色で点滅させると共に、内側スピーカ２３ｉｎから、「ドアロックを解除しました」というメッセージを放音させる（ステップＳ６７）。
【０１２２】
そして、ＣＰＵ２０１は、ステップＳ４２で取り込んだ個人ＩＤで示される者が、帰宅のため開錠をしたと認識して、当該個人ＩＤを含む個人情報を、帰宅者情報として監視制御装置１に転送する（ステップＳ６８）。
【０１２３】
また、ステップＳ６５で、現在の玄関ドア８のロック状態が開錠状態であると判別したときには、その逆の状態である施錠状態にするように、ドアロック機構駆動部２１２を駆動制御して、ドアロック機構２８により玄関ドア８を施錠状態にする（ステップＳ６９）。
【０１２４】
そして、ＣＰＵ２０１は、内側ＬＥＤ２２ｉｎを、例えば緑色で点滅させると共に、内側スピーカ２３ｉｎから、「玄関ドアを施錠しました」というメッセージを放音させ、施錠状態にしたことを個人カード１０の使用者に報知するようにする（ステップＳ７０）。
【０１２５】
そして、ＣＰＵ２０１は、ステップＳ４２で取り込んだ個人ＩＤで示される者が、外出のために施錠をしたと認識して、当該個人ＩＤを含む個人情報を、外出者情報として監視制御装置１に転送する（ステップＳ７１）。そして、ステップＳ４１に戻る。
【０１２６】
［ＩＤ送受信部の動作］
各部屋Ａ，Ｂ，Ｃ，Ｄに設けられているＩＤ送受信部７Ａ，７Ｂ，７Ｃ，７Ｄの動作を、図１８のフローチャートを参照して説明する。
【０１２７】
ＣＰＵ７０１は、インターフェース７０９を介して、リード／ライト部７２を監視し、個人カード１０がかざされて、個人カード１０とリード／ライト部７２との間で通信が行われるのを待つ（ステップＳ８１）。
【０１２８】
そして、ステップＳ８１において、個人カード１０がかざされて、個人カード１０と通信が行なわれたと判別したときには、ＣＰＵ７０１は、照明制御部７０６を制御して、照明器具が消灯状態にあるときには点灯させ、点灯状態にあるときには消灯させる（ステップＳ８２）。
【０１２９】
また、ＣＰＵ７０１は、個人ＩＤを含む個人情報を個人カード１０から受信し、例えばＲＡＭ７０４などに、時計回路７０５の時刻情報と共に一時的に格納する（ステップＳ８３）。また、時計回路７０５の時刻情報が、個人カード１０に与えられ、制御用ＩＣ内１２のメモリにも書き込まれる。
【０１３０】
次に、ステップＳ８３で取得した個人ＩＤを、ＩＤ送受信部の識別情報と共に監視制御装置１に転送する（ステップＳ８４）。この場合、ＩＤ送受信部の識別情報は、どの部屋のＩＤ送受信部であるかを示す情報であって、部屋ＩＤに相当する。監視制御装置１は、この部屋ＩＤ付きの個人ＩＤを受信することにより、どの部屋に誰がいるか、あるいは誰がその部屋から出て行ったかを認識することが可能となる。
【０１３１】
なお、この例の場合には、監視制御装置１とＩＤ送受信部７Ａ，７Ｂ，７Ｃ，７ＤとがＬＡＮにより接続されているので、上述のような部屋ＩＤと共に、個人ＩＤをＩＤ送受信部７Ａ，７Ｂ，７Ｃ，７Ｄから監視制御装置１に送る必要があるが、ＩＤ送受信部７Ａ，７Ｂ，７Ｃ，７Ｄのそれぞれと監視制御装置１とが、別々の通信インターフェースを介して接続されている場合には、どのインターフェースがどの部屋のＩＤ送受信部と接続されているかを予め設定しておくことにより、部屋ＩＤを付加することを省略することができる。
【０１３２】
［監視制御装置１の動作の説明；図１９および図２０］
次に、個人カード１０と通信を行なったドアロック装置９やＩＤ送受信部７Ａ，７Ｂ，７Ｃ，７Ｄから送られてくる個人ＩＤを取得したときの監視制御装置１の動作を図１９および図２０のフローチャートを参照して説明する。
【０１３３】
ＣＰＵ１０１は、先ず、個人ＩＤを受信したか否か判別する（ステップＳ９１）。個人ＩＤを受信しなかったときには、その他の処理を行ない（ステップＳ９２）、その処理後、ステップＳ９１に戻る。
【０１３４】
ステップＳ９１で個人ＩＤを受信したと判別したときには、ＣＰＵ１０１は、当該個人ＩＤは、ドアロック装置９から送られてきたものか否か判別する（ステップＳ９３）。ステップＳ９３で、個人ＩＤがドアロック９から送られてきたものであると判別したときには、当該個人ＩＤは、帰宅情報として送られてきたものであるか否か判別する（ステップＳ９４）。
【０１３５】
ステップＳ９４で、個人ＩＤが帰宅情報としてではなく外出情報として送られてきたと判別したときには、ＣＰＵ１０１は、家族情報メモリ１０５中の、当該個人ＩＤと等しい個人ＩＤが含まれる個人プロファイル情報中の入退出履歴情報に、当該個人ＩＤを受け取った時刻と共に、外出を示す情報を書き込んで、入退出履歴情報を更新する（ステップＳ９５）。その後、ステップＳ９１に戻る。
【０１３６】
また、ステップＳ９４で、個人ＩＤが帰宅情報として送られてきたと判別したときには、ＣＰＵ１０１は、家族情報メモリ１０５中の、当該個人ＩＤと等しい個人ＩＤが含まれる個人プロファイル情報中の入退出履歴情報に、当該個人ＩＤを受け取った時刻と共に、帰宅を示す情報を書き込んで、入退出履歴情報を更新する（ステップＳ９６）。
【０１３７】
次に、ＣＰＵ１０１は、家族情報メモリ１０５中の在室管理情報テーブルを参照し、在宅者が有るか否か判別し（ステップＳ９７）、在宅者が無いと判別したときには、監視制御装置１を動作状態にする（ステップＳ９８）。これは、家族の全てが外出して在宅者が無いときには、監視制御装置１は、消費電力削減のため、ＣＰＵ１０１、ＲＯＭ１０３，ＲＡＭ１０４およびドアロック装置９からの情報を受信するインターフェース１０６のみを動作状態にして、他の部分への電源供給は停止するスタンバイ状態にしているので、そのスタンバイ状態から動作状態に移行させるものである。
【０１３８】
次に、監視制御装置１は、各部屋のＩＤ送受信部７Ａ，７Ｂ，７Ｃ，７Ｄを動作状態にする（ステップＳ９９）。つまり、在宅者なしの状態では、この実施形態では、ＩＤ送受信部７Ａ，７Ｂ，７Ｃ，７Ｄは動作不要であるので、スタンバイ状態にして、電力消費の削減を図っているので、最初の帰宅者を検知した時点で、これら各部屋のＩＤ送受信部７Ａ，７Ｂ，７Ｃ，７Ｄを動作状態にするものである。そして、それらＩＤ送受信部７Ａ，７Ｂ，７Ｃ，７Ｄのいずれかからの個人ＩＤの到来を待つ（ステップＳ１００）。このとき、ＩＤ送受信部７Ａ，７Ｂ，７Ｃ，７Ｄからは、個人ＩＤと共に、それぞれのＩＤ送受信部の識別情報、つまり部屋ＩＤも送られてくるのは前述した通りである。
【０１３９】
そして、ステップＳ１００で、ＩＤ送受信部７Ａ，７Ｂ，７Ｃ，７Ｄのいずれかからの個人ＩＤの到来を検知すると、ＣＰＵ１０１は、帰宅者がいずれかの部屋に入ったと認識して、帰宅者を確認し（ステップＳ１０１）、個人ＩＤと共に送られてくる部屋ＩＤから、部屋Ａ，Ｂ，Ｃ，Ｄのいずれに入室したかを判別し、家族情報メモリ１０５の在室管理情報テーブルに、誰がどの部屋に入ったかを書き込んで、在室管理情報テーブルを更新する（ステップＳ１０２）。
【０１４０】
このとき、ＣＰＵ１０１は、ＩＤ送受信部から送られてくる情報に時刻情報が含まれる場合には、その時刻情報により、入室時刻を判別し、在室管理情報テーブルに記憶し、また、履歴情報として記憶する。なお、ＩＤ送受信部からの情報に時刻情報が含まれていなくても、ＣＰＵ１０１は、ＩＤ送受信部から個人ＩＤ等を受け取った時刻を時計回路１０７の時刻情報により知ることができるので、その時刻情報を入室時刻として用いるようにすることもできる。
【０１４１】
次に、当該入室者の個人情報を、家族情報メモリ１０５から検索して参照し（ステップＳ１０３）、個人情報中の嗜好情報に基づき、帰宅者が入室した部屋に在る電子機器を制御する制御信号を生成し、その制御信号を当該電子機器に送る（ステップＳ１０４）。
【０１４２】
入室者の個人情報を参照した結果、例えば、入室者は、テレビドラマが好みであって、当該時刻にテレビ放送でドラマが放送されているチャンネルがあると判別したときには、監視制御装置１は、電子機器のうちのＴＶセットを電源オンにすると共に当該ドラマを放送中のチャンネルを選局する制御信号を生成し、その生成した制御信号を対応する部屋のＴＶセットに供給するようにする。
【０１４３】
また、入室者の個人情報を参照した結果、例えば、入室者は、ＦＭラジオ放送によって、クラシック音楽番組を聴取するのが好みであって、当該時刻にＦＭラジオ放送でクラシック音楽番組が放送されているチャンネルがあると判別したときには、監視制御装置１は、電子機器のうちのオーディオセットの電源オンをオンにすると共に、当該クラシック音楽番組を放送中のチャンネルを選局する制御信号を生成し、その生成した制御信号を対応する部屋のＴＶセットに供給するようにする。
【０１４４】
また、趣味／嗜好情報を参照した結果、趣味がゴルフであった場合であって、当該時刻においてテレビ放送でゴルフ番組が放送されているチャンネルがあったときには、監視制御装置１は、電子機器のうちのＴＶセットを電源オンにすると共に当該ゴルフ番組を放送中のチャンネルを選局する制御信号を生成し、その生成した制御信号を対応する部屋のＴＶセットに供給するようにする。
【０１４５】
なお、当該時刻にどのような番組が放送されているかは、予め、例えばＥＰＧ（Ｅｌｅｃｔｒｏｎｉｃ　Ｐｒｏｇｒａｍｍｉｎｇ　Ｇｕｉｄｅ；電子番組ガイド）などの放送番組情報が監視制御装置１のＲＡＭ１０４などに記憶されており、それらの放送番組情報を用いることにより検索される。
【０１４６】
ステップＳ１０４で、以上のような電子機器の制御が終了すると、ステップＳ９１に戻り、個人ＩＤの受信を監視する。
【０１４７】
次に、ステップＳ９７において、在宅者が在ると判別したときには、すでに監視制御装置１やＩＤ送受信部７Ａ〜７Ｄの全ては、動作状態になっているので、ＩＤ送受信部７Ａ，７Ｂ，７Ｃ，７Ｄのいずれかからの個人ＩＤの到来を待つ（ステップＳ１１１）。
【０１４８】
そして、ステップＳ１１１で、ＩＤ送受信部７Ａ，７Ｂ，７Ｃ，７Ｄのいずれかからの個人ＩＤの到来を検知すると、ＣＰＵ１０１は、帰宅者がいずれかの部屋に入ったと認識して、帰宅者を確認し（ステップＳ１１２）、個人ＩＤと共に送られてくる部屋ＩＤから、部屋Ａ，Ｂ，Ｃ，Ｄのいずれに入室したかを判別し、家族情報メモリ１０５の在室管理情報テーブルに、誰がどの部屋に入ったかを書き込む（ステップＳ１１３）。このとき、前述と同様にして、入室時刻も在室管理情報テーブルに記憶し、また、履歴情報として記憶する。
【０１４９】
次に、ＣＰＵ１０１は、新たな入室者があった部屋に、既に他の家族が存在しているかどうかを在室管理情報テーブルを参照して判別する（ステップＳ１１４）。そして、このステップＳ１１４で、当該部屋には他の家族が存在しないと判別したときには、当該入室者の個人情報を、家族情報メモリ１０５から検索して参照し（ステップＳ１１５）、前述のステップＳ１０４で説明したのと同様にして、個人情報中の嗜好情報に基づき、帰宅者が入室した部屋に在る電子機器を制御する制御信号を生成し、その制御信号を当該電子機器に送る（ステップＳ１１６）。
【０１５０】
また、ステップＳ１１４において、当該部屋に他の家族が存在すると判別したときには、ＣＰＵ１０１は、家族情報メモリ１０５の優先権情報テーブルを参照して（ステップＳ１１７）、入室者の優先権の方が、既に当該部屋に存在している家族の優先権よりも優位であるかどうかを判別する（ステップＳ１１８）。
【０１５１】
ステップＳ１１８で、入室者の優先権の方が、既に当該部屋に存在している家族の優先権よりも優位でないと判別したときには、ＣＰＵ１０１は、電子機器の制御を行なわずに、そのときの電子機器の状態を維持するようにし、その後、ステップＳ９１に戻る。
【０１５２】
また、ステップＳ１１８で、入室者の優先権の方が、既に当該部屋に存在している家族の優先権よりも優位であると判別したときには、当該部屋への入室者の個人情報を、家族情報メモリ１０５から検索して参照する（ステップＳ１１９）。そして、入室者の個人情報から、前述のようにして定められる電子機器の制御状態を判定し、当該部屋の電子機器が、それと同じ制御状態になっているかどうかにより、当該部屋の電子機器の制御の変更が必要であるか否か判別する（ステップＳ１２０）。
【０１５３】
このステップＳ１２０での判別の結果、電子機器の制御の変更が必要ないと判別したときには、そのまま、ステップＳ９１に戻る。また、ステップＳ１２０での判別の結果、電子機器の制御の変更が必要であると判別したときには、前述したステップＳ１０４やステップＳ１１６での処理と同様にして、入室者の個人情報に応じて当該部屋の電子機器を制御して、優先権の高い入室者の好む状態に変更するようにする（ステップＳ１２１）。その後、ステップＳ９１に戻る。
【０１５４】
ステップＳ１２１においては、例えば、部屋Ａにおいて、子供が先に帰宅して、好みのＴＶ番組を視聴している状態のときに、後から帰宅した父親が、部屋Ａに入室したときには、子供よりも優先順位の高い父親の好みに適合したＴＶ番組に自動的にチャンネル切り換えがなされるなどの制御が行なわれる。
【０１５５】
次に、ステップＳ９３において、受信した個人ＩＤがドアロック装置１からの個人ＩＤではなく、ＩＤ送受信部７Ａ，７Ｂ，７Ｃ，７Ｄのうちのいずれかからのものであると判別したときには、ＣＰＵ１０１は、在室管理情報テーブルを参照して、個人ＩＤで示される人が、個人ＩＤと共に送られてくる部屋ＩＤで示される部屋に入室するのか、あるいは当該部屋から退出するかを判別する（ステップＳ１２２）。
【０１５６】
このステップＳ１２２においては、在室管理情報テーブルを参照した結果、個人ＩＤと共に送られてくる部屋ＩＤで示される部屋に当該個人ＩＤにより示される人が在室している場合には、当該個人ＩＤにより示される人が退出するものであると判別し、また、個人ＩＤと共に送られてくる部屋ＩＤで示される部屋に当該個人ＩＤにより示される人が在室していなければ、当該個人ＩＤで示される人が当該部屋に入室したと判別する。
【０１５７】
ステップＳ１２２で、個人ＩＤにより示される人が、部屋ＩＤで示される部屋から退出するものであると判別したときには、ＣＰＵ１０１は、当該部屋の在室者から当該個人ＩＤで示される人の情報を削除して在室管理情報テーブルを更新し（ステップＳ１２３）、その後、ステップＳ９１に戻る。
【０１５８】
また、ＣＰＵ１０１は、ステップＳ１２２で、個人ＩＤにより示される人が、部屋ＩＤで示される部屋に入室するものであると判別したときには、ステップＳ１１３に進み、個人ＩＤにより示される人が入室した部屋を認識して、当該部屋の在室者として当該個人ＩＤで示される人の情報を追加すると共に、当該個人ＩＤが他の部屋の在室者として記録されている場合には、当該他の部屋の在室者から当該個人ＩＤで示される人の情報を削除して在室管理情報テーブルを更新し、前述したこのステップＳ１１３以降の処理を実行する。
【０１５９】
以上のようにして、この実施形態においては、監視制御装置１は、家に帰宅した各人が各部屋に入室すると、その部屋の電子機器を、当該入室者が好む状態に制御するようにする。したがって、各部屋への入室者が、例えばリモコン送信機などを用いた操作をしなくても、電子機器の状態は、前記入室者が好む状態に自動機に制御されるので、非常に便利である。
【０１６０】
また、各部屋に入室したときに、他の家族が存在したときには、電子機器についての優先権が判断されて、その優先権に基づいて電子機器の制御が行なわれるので、家族間のコミュニケーションが図れる。
【０１６１】
［第２の実施形態］
上述した第１の実施の形態においては、各部屋に設置され、監視制御装置１に接続されるＩＤ送受信部７Ａ〜７Ｄを通じて、これにかざされる個人カード１０から個人ＩＤなどの必要な情報を読み出し、これを監視制御装置１に供給することにより、家族の各人の各部屋への入室、退室の検出および登録を行なうようにした。しかし、各部屋にＩＤ送受信部を設けないで、ホームネットワークシステムを構築することも可能である。
【０１６２】
以下に説明するこの第２の実施の形態においては、例えば各部屋に設けられた、ＴＶセットなどの電子機器の遠隔操作装置であるリモコン送信機を、ＩＤ送受信部の代わりに個人識別情報送信手段として用いることができるようにするものである。
【０１６３】
図２１は、この第２の実施形態のホームネットワークシステムの構成例を説明するための図である。この図２１に示す第２の実施形態のホームネットワークシステムにおいて、上述した第１の実施の形態のホームネットワークシステムと同様に構成される部分には同じ参照符号を付し、その詳細な説明は省略する。
【０１６４】
図２１に示すように、この第２の実施の形態のホームネットワークシステムも、部屋Ａには、監視制御装置１、ＴＶセット２Ａなどの電子機器、ルータ４、ハードディスク装置５、ＡＤＳＬモデム６が設けられ、その他の各部屋Ｂ、Ｃ、Ｄには、ＴＶセット２Ｂ、２Ｃ、２Ｄやオーディオセット３Ａ、３Ｃなどからなる電子機器が設けられている。
【０１６５】
そして、第１の実施形態と同様にして、部屋Ａに設けられた監視制御装置１と各部屋Ａ，Ｂ，Ｃ，Ｄに設けられた電子機器とは、ルータ４を通じて接続され、監視制御装置１からの制御データが各部屋の電子機器に供給されて、それらの電子機器が制御可能とされている。また、各部屋の電子機器間や、ハードディスク装置５とそれらの電子機器との間では、映像データや音声データなどのコンテンツデータなどを送受することができるようにしている。
【０１６６】
この場合に、監視制御装置１が介在して、ハードディスク装置と、複数の電子機器との間において、映像データや音声データなどのコンテンツデータのやり取りを制御するようにすることもできるように構成されている。
【０１６７】
図２１に示したように、この第２の実施の形態のホームネットワークシステムにおいては、各部屋Ａ，Ｂ，Ｃ，Ｄには、ＩＤ送受信部は設けられていない。その代わりに、各部屋Ａ，Ｂ，Ｃ，Ｄには、電子機器の遠隔制御用のリモコン送信機３０Ａ，３０Ｂ，３０Ｃ，３０Ｄが設けられる。この第２の実施形態においては、これらのリモコン送信機３０Ａ，３０Ｂ，３０Ｃ，３０Ｄは、複数の電子機器の制御が可能な複合型の構成とされている。すなわち、この例のリモコン送信機３０Ａ，３０Ｂ，３０Ｃ，３０Ｄは、各部屋の照明器具を遠隔制御するためのキーボタン、ＴＶセットを遠隔制御するためのキーボタン、オーディオセットを遠隔制御するためのキーボタンなどを備えている。
【０１６８】
この第２の実施形態では、これらのリモコン送信機３０Ａ，３０Ｂ，３０Ｃ，３０Ｄは、個人カード１０の装填部を備え、個人カード１０が装填されたときにのみ、動作可能となるようにされている。
【０１６９】
［リモコン送信機の構成例］
図２２および図２３は、この第２の実施形態において、各部屋に設置されるリモコン送信機３０Ａ，３０Ｂ，３０Ｃ，３０Ｄの構成例を説明するための図である。この例のリモコン送信機３０Ａ，３０Ｂ，３０Ｃ，３０Ｄのそれぞれは、全く同様に構成されるので、以下の図２２および図２３の説明においては、リモコン送信機３０Ａ、３０Ｂ、３０Ｃ、３０Ｄのそれぞれをリモコン送信機３０として説明する。
【０１７０】
図２２は、リモコン送信機３０の外観を説明するための図である。リモコン送信機３０は、例えば赤外線を用いるリモコン信号を発生するリモコン信号送信部３１と、種々の情報を表示するためのＬＣＤ３２と、使用者からの指示入力を受け付ける数字キーやファンクションキーなどの複数の操作キーからなる操作キー群３３と、個人カード１０が挿入されて装填されるカード装填部３４とを備える。
【０１７１】
このカード装填部３４の内部には、これに装填された個人カード１０と通信して、個人カード１０の制御用ＩＣに対するデータの書き込み／読み出しを行なうリード／ライト部が設けられている。
【０１７２】
図２３は、リモコン送信機３０の電気的構成を説明するためのブロック図である。この図２３に示すように、リモコン送信機３０は、マイクロコンピュータを備える構成とされており、ＣＰＵ３０１に対して、システムバス３０２を介して、ＲＯＭ３０３、ＲＡＭ３０４、ＬＣＤコントローラ３０５、インターフェース３０６，３０７および３０８、個人ＩＤメモリ３１３が接続されている。
【０１７３】
そして、ＬＣＤコントローラ３０５には、ＬＣＤ３２が接続されており、ＣＰＵ３０１によりＬＣＤコントローラ３０５が制御されて、ＬＣＤ３２に操作状態や各種のガイダンスなどの情報を表示することができるようにされている。
【０１７４】
また、インターフェース３０６には、キー操作部３１０が、インターフェース３０７には、リード／ライト部３１１が、インターフェース３０８には、リモコン信号送信部３１２が、それぞれ接続されている。
【０１７５】
そして、キー操作部３１０を通じて入力された使用者からの操作指示入力は、インターフェース３０６を通じてＣＰＵ３０１に供給される。ＣＰＵ３０１は、キー操作部３１０を通じた使用者からの指示入力に応じて、インターフェース３０８を通じてリモコン信号送信部３１２を制御し、使用者の操作入力に応じた赤外線のリモコン信号を、このリモコン信号送信部３１２から送信する。
【０１７６】
個人ＩＤメモリ３１３には、当該リモコン送信機３０を利用する者の個人ＩＤが登録されている。個人ＩＤメモリ３１３に記憶されている個人ＩＤは、リモコン送信機３０に装填された個人カードが、登録された個人ＩＤの所有者であるかどうかを認証するために用いられる。
【０１７７】
図２４は、この実施形態におけるリモコン送信機３０の動作を説明するためのフローチャートである。
【０１７８】
まず、ＣＰＵ３０１は、個人カード１０が装填されたか否か監視し（ステップＳ１３１）、個人カード１０が装填されたと判別したときには、リード／ライト部３１１を通じて、装填された個人カード１０から個人ＩＤを読み出して、ＲＡＭ３０４に保存すると共に、読み出した個人ＩＤと、個人ＩＤメモリ３１３に記憶されている個人ＩＤとを比較して、リモコン送信機３０に装填された個人カードが登録された個人ＩＤの所有者であるかどうかを認証する（ステップＳ１３２）。
【０１７９】
そして、認証がＯＫであるか否か判別し（ステップＳ１３３）、認証がＯＫでなければ、個人カード１０を強制排出して（ステップＳ１３４）、図２４の処理ルーチンを終了する。また、認証がＯＫであれば、リモコン送信機３０は、作動開始状態となり、ユーザによる操作キーの押下操作を受け付けることが可能な状態となる（ステップＳ１３５）。
【０１８０】
そして、ＣＰＵ３０１は、操作キーの押下を監視し（ステップＳ１３６）、操作キーの押下を検出したときには、押下操作された操作キーに対応したリモコン信号を生成する（ステップＳ１３７）。そして、生成したリモコン信号に、ＲＡＭ３０４に保存した個人ＩＤを付加して、リモコン信号送信部３１２から電子機器に対して送出する（ステップＳ１３８）。
【０１８１】
次に、ＣＰＵ３０１は、ユーザにより個人カード１０の排出操作がなされて個人カード１０がリモコン送信機３０の個人カード装填部３４から排出されたか否か判別し（ステップＳ１３９）、排出されていなければ、ステップＳ１３６に戻って、次の操作キーの押下を監視する。また、個人カード１０がリモコン送信機３０から排出されたと判別したときには、この処理ルーチンを終了する。
【０１８２】
なお、以上の説明では個人ＩＤの認証は、リモコン送信機３０自身で行なうようにしたが、リモコン送信機３０が、個人カードが装填された直後に任意のキー操作がなされたとき、それを認証要求操作として個人ＩＤと共に認証要求信号を電子機器に送り、電子機器が、さらに、その個人ＩＤ付きの認証要求信号に、機器ＩＤを加えて監視制御装置１に転送することにより、監視制御装置１で認証を行なうようにすることもできる。
【０１８３】
その場合においては、監視制御装置１は、認証がＮＧであれば、認証要求信号に付加されている機器ＩＤで識別される部屋の全ての電子機器に、受信したリモコン信号を無効とする制御信号を送り、リモコン送信機３０からのリモコン操作を実質的に不可とするようにする。
【０１８４】
また、個人ＩＤの認証は、電子機器が行ない、認証がＮＧであれば、電子機器で、当該個人ＩＤを送ってきたリモコン送信機からのリモコン信号を無効とするようにしてもよい。
【０１８５】
以上のようにしてリモコン送信機３０から送出されてくるリモコン信号を受信した電子機器のそれぞれは、リモコン送信機３０から受信した個人ＩＤ付きのリモコン信号に、さらに、各電子機器の識別情報（機器ＩＤ）を付加して、監視制御装置１に転送する。このとき、誰がどの部屋にいるかを認識するためだけであれば、電子機器は、監視制御装置１に対して、個人ＩＤおよび機器ＩＤのみを転送するようにしてもよい。
【０１８６】
監視制御装置１の制御対象電子機器情報メモリ１０８には、どの部屋にどの電子機器が配置されているかが、機器ＩＤが用いられて記憶されている。前述したように、この第２の実施の形態においては、電子機器としては、ＴＶセットやオーディオセットの他に、照明器具の点灯消灯制御器を含んでおり、それら電子機器と監視制御装置１とがＬＡＮにより接続されているのは、第１の実施形態と同様である。
【０１８７】
監視制御装置１は、各電子機器から転送されてきたリモコン信号に付加されている個人ＩＤおよび機器ＩＤを検知し、制御対象電子機器情報メモリ１０８を参照して、当該機器ＩＤで識別される電子機器が存在する部屋に、当該個人ＩＤで識別される人が存在していることを認識する。
【０１８８】
つまり、監視制御装置１は、各人の各部屋Ａ，Ｂ，Ｃ，Ｄへの入退出を、電子機器から送られてくる個人ＩＤおよび機器ＩＤにより検出し、その検出結果に基づいて在室管理情報テーブルを作成する。
【０１８９】
この場合に、監視制御装置１は、個人ＩＤおよび機器ＩＤを受信したときに、それまでの在室管理情報テーブル中に、当該個人ＩＤで識別される人の在室情報が無いと判別したときには、帰宅後、当該機器ＩＤで識別される電子機器が存在する部屋に始めて入ったとして、当該個人ＩＤで識別される人の在室情報を在室管理情報テーブルに記録するようにする。
【０１９０】
また、監視制御装置１は、受信した個人ＩＤおよび機器ＩＤにより、当該個人ＩＤで識別される人が在室する部屋が、そのときの在室管理情報テーブルでの記録と異なっていたときには、当該個人ＩＤで識別される人が部屋を移動したとして、現在の在室状況に合致するように在室管理情報テーブルを更新するようにする。
【０１９１】
以上のようにして、この第２の実施形態では、監視制御装置１は、ＩＤ送受信部７Ａ，７Ｂ，７Ｃ，７Ｄからの個人ＩＤを受信する代わりに、各部屋Ａ，Ｂ，Ｃ，Ｄの各電子機器からの個人ＩＤおよび機器ＩＤを伴うリモコン信号を受信することにより、各部屋Ａ，Ｂ，Ｃ，Ｄへの家族の各構成員の入退出を認識する。そして、前述した第１の実施形態と同様にして、監視制御装置１は、各部屋への入室者の個人情報や優先権情報に基づいて、当該部屋の電子機器の状態を制御するようにする。
【０１９２】
例えば、それまで誰もいなかった部屋に、家族の一人が入って、リモコン送信機３０に自分の個人カード１０を装填し、例えば照明器具を点灯させる操作をすると、個人カード１０から読み出された個人ＩＤ付きの照明器具点灯のリモコン信号が照明器具の点灯消灯制御器に与えられ、照明器具が点灯状態となる。このとき、照明器具の点灯消灯制御器は、前記個人ＩＤおよび自機の機器ＩＤを伴うリモコン信号を監視制御装置１に送る。
【０１９３】
監視制御装置１は、時計回路１０７から前記リモコン信号の取得時刻を認識すると共に、取得した機器ＩＤから、いずれの部屋の照明器具の点灯消灯制御器からのリモコン信号であるかを認識する。さらに、取得した個人ＩＤを用いて、家族情報メモリ１０５から対応する個人情報を読み出し、その個人情報に基づいて、前述した第１の実施形態の場合と同様にして、機器ＩＤから認識した部屋のＴＶセットやオーディオセットに対する制御信号を生成し、それらＴＶセットやオーディオセットに供給するようにする。
【０１９４】
そして、この第２の実施形態では、電子機器を通じて個人ＩＤが監視制御装置１に送られるので、監視制御装置１は、ユーザがリモコン操作したい電子機器が何であるかを認識することができる。そのため、当該ユーザがリモコン操作したい電子機器について、個人情報に基づいた制御を行なうようにすることもできる。
【０１９５】
例えば、ある部屋において、家族の一人がリモコン送信機３０に自分の個人カード１０を装填し、ＴＶセットの電源をオンにする操作をしたとする。すると、ＴＶセットは、自機の電源をオンにすると共に、個人ＩＤおよび自機の機器ＩＤを伴うリモコン信号を監視制御装置１に送る。
【０１９６】
監視制御装置１は、時計回路１０７から前記リモコン信号の取得時刻を認識すると共に、取得した機器ＩＤから、いずれの部屋のＴＶセットからのリモコン信号であるかを認識する。さらに、取得した個人ＩＤを用いて、家族情報メモリ１０５から対応する個人情報を読み出し、その個人情報に基づいて、ＴＶセットについての制御信号、例えばどのチャンネルを選択するかの選局制御信号を生成し、それを当該ＴＶセットに送る。
【０１９７】
例えば、監視制御装置１は、個人情報を検索した結果、個人ＩＤで識別される人は、テレビドラマが好みであり、かつ、ＥＰＧから前記リモコン信号を受信した時刻にテレビドラマを放送しているチャンネルが有ると判別したときには、当該チャンネルを選択する選局制御信号を生成して、それを機器ＩＤで識別されるＴＶセットに送るようにする。なお、この場合には、監視制御装置１は、機器ＩＤにより相手方の電子機器を特定することができるので、電子機器がどの部屋のものであるかを認識する必要はない。
【０１９８】
［個人情報に応じたリモコン操作の制限］
＜リモコン送信機で制限する場合の例＞
前述したように、個人カード１０には、個人ＩＤに加えて、年齢などの個人情報も記録されている。この例においては、リモコン送信機３０は、これに装填される個人カード１０から当該個人情報を読み出し、年齢などの個人情報に応じてリモコン操作の制限を行なうようにする。
【０１９９】
この例のリモコン送信機３０は、予め個人情報に応じて制限をすると判別したときに使用する制限情報を、ＥＥＰＲＯＭなどの不揮発性メモリに記憶しており、その制限情報を用いて、リモコン操作を制限するようにする。
【０２００】
図２５および図２６は、年齢が予め定められた制限年齢以下のときに、前記制限情報に応じてリモコン操作を制限する場合の例におけるリモコン送信機３０における処理動作を説明するためのフローチャートである。
【０２０１】
まず、ＣＰＵ３０１は、個人カード１０が装填されたか否か監視し（ステップＳ１４１）、個人カード１０が装填されたと判別したときには、リード／ライト部３１１を通じて、装填された個人カード１０から個人ＩＤおよび個人情報を読み出して、ＲＡＭ３０４に保存すると共に、読み出した個人ＩＤと、個人ＩＤメモリ３１３に記憶されている個人ＩＤとを比較して、リモコン送信機３０に装填された個人カードが登録された個人ＩＤの所有者であるかどうかを認証する（ステップＳ１４２）。
【０２０２】
そして、認証がＯＫであるか否か判別し（ステップＳ１４３）、認証がＯＫでなければ、個人カード１０を強制排出して（ステップＳ１４４）、処理ルーチンを終了する。また、認証がＯＫであれば、リモコン送信機３０は、作動開始状態となり、ユーザによる操作キーの押下操作を受け付けることが可能な状態となる（ステップＳ１４５）。
【０２０３】
次に、ＣＰＵ３０１は、個人カード１０から読み出した個人情報中の年齢の情報を参照し、予め定められた制限年齢、例えば１２歳以下であるか否か判別する（ステップＳ１４６）。
【０２０４】
そして、ＣＰＵ３０１は、ステップＳ１４６で年齢は制限年齢以上であると判別したときには、制限なしにリモコン操作を可能とする。すなわち、ＣＰＵ３０１は、操作キーの押下を監視し（ステップＳ１４７）、操作キーの押下を検出したときには、押下操作された操作キーに対応したリモコン信号を生成する（ステップＳ１４８）。そして、生成したリモコン信号に、ＲＡＭ３０４に保存した個人ＩＤを付加して、リモコン信号送信部３１２から電子機器に対して送出する（ステップＳ１４９）。
【０２０５】
次に、ＣＰＵ３０１は、ユーザにより個人カード１０の排出操作がなされて個人カード１０がリモコン送信機３０の個人カード装填部３４から排出されたか否か判別し（ステップＳ１５０）、排出されていなければ、ステップＳ１４７に戻って、次の操作キーの押下を監視する。また、個人カード１０がリモコン送信機３０から排出されたと判別したときには、この処理ルーチンを終了する。
【０２０６】
また、ステップＳ１４６で、年齢が制限年齢以下であると判別したときには、ＣＰＵ３０１は、予めリモコン送信機３０に設定されている制限情報に基づいてリモコン操作が制限される。
【０２０７】
すなわち、ＣＰＵ３０１は、操作キーの押下を監視し（ステップＳ１５１）、操作キーの押下を検出したときには、設定されている制限情報を読み出して参照する（ステップＳ１５２）。そして、操作キーに対応するリモコン操作は、制限対象操作であるか否か判別する（ステップＳ１５３）。
【０２０８】
このステップＳ１５３において、操作キーに対応するリモコン操作は、制限対象操作でないと判別されたときには、押下操作された操作キーに対応したリモコン信号を生成する（ステップＳ１５４）。そして、生成したリモコン信号に、ＲＡＭ３０４に保存した個人ＩＤを付加して、リモコン信号送信部３１２から電子機器に対して送出する（ステップＳ１５５）。
【０２０９】
次に、ＣＰＵ３０１は、ユーザにより個人カード１０の排出操作がなされて個人カード１０がリモコン送信機３０の個人カード装填部３４から排出されたか否か判別し（ステップＳ１５６）、排出されていなければ、ステップＳ１５１に戻って、次の操作キーの押下を監視する。また、個人カード１０がリモコン送信機３０から排出されたと判別したときには、この処理ルーチンを終了する。
【０２１０】
また、ステップＳ１５３において、操作キーに対応するリモコン操作は、制限対象操作であると判別されたときには、対応するリモコン信号は生成せず、かつ、リモコン信号の送出も行なわない。そして、制限された操作であることを示すために、例えば警報音を放音するようにする（ステップＳ１５７）。そして、ステップＳ１５６に進む。
【０２１１】
ここで、制限対象操作であるかの例としては、例えばＴＶセットに対するリモコン操作の例であれば、例えば１２歳以下の子供が使用者であると認識したときに、例えば２２時以降の全ての深夜テレビ番組、あるいは特定のチャンネルのテレビ番組の視聴に関する操作が挙げられる。なお、その場合には、リモコン送信機３０には、時計回路が備えられるものである。
【０２１２】
また、インターネット接続が可能な電子機器である場合の例であれば、１８歳未満の子供が使用者であると認識したときにおける、１８歳未満のユーザにとってアクセスが好ましくないサイトのＵＲＬアドレスへの発信が挙げられる。
【０２１３】
また、ケーブルテレビなどにおけるセットトップボックスを電子機器としたときに、いわゆるテレビショッピングの場合における、買物金額制限なども、制限対象操作として挙げられる。
【０２１４】
＜監視制御装置１で制限する場合の例＞
前述した例においては、電子機器は、リモコン送信機３０からのリモコン信号は、個人ＩＤおよび機器ＩＤと共に、監視制御装置１に転送されるように構成されている。そこで、監視制御装置１が、リモコン信号をチェックして、それが制限対象操作によるものであるか否かを判別して、制限対象であると判別したときには、機器ＩＤで識別される電子機器に、受信したリモコン信号を無効として、対応する動作を行なわないようにする制御信号を供給するようにする。
【０２１５】
この場合には、監視制御装置１には、予め、各電子機器毎のリモコン操作についての制限情報を設定して、不揮発性メモリに記憶しておく。そして、電子機器からリモコン信号を受信する毎に、それに付加されている個人ＩＤに対応する個人情報を読み出して、年齢などの制限対象情報を参照し、制限対象に当たるときには、機器ＩＤで識別される電子機器についての制限情報を参照し、リモコン操作が制限対象操作であるか否か判別する。そして、制限対象操作であるときには、機器ＩＤで識別される電子機器に、受信したリモコン信号を無効とするような制御信号を供給する。
【０２１６】
この場合も、視聴時間制限、視聴番組制限、インターネット制限、買い物金額制限などの制限ができるものである。
【０２１７】
［第３の実施形態］
この第３の実施形態では、各部屋に配置される電子機器が、個人カード１０の装填部を備え、その個人カード１０が装填されたときに、各電子機器が動作可能となる場合である。そして、この第３の実施形態の場合には、個人カード１０が電子機器に装填されたときに、当該電子機器は、装填された個人カードから読み出した個人ＩＤを、当該電子機器の機器ＩＤと共に、監視制御装置１に送るようにする。
【０２１８】
この第３の実施形態における監視制御装置１は、第２の実施形態の場合と同様に、制御対象電子機器情報メモリを備え、各部屋に、どの機器ＩＤの電子機器が配置されているかの情報が記憶されている。したがって、この第３の実施の形態においても、監視制御装置１は、電子機器から送られてくる個人ＩＤおよび機器ＩＤにより、個人ＩＤで識別される人がどの部屋に在室しているかを認識することができ、上述の第１の実施形態および第２の実施形態と同様の電子機器制御を行なうことができる。
【０２１９】
そして、この第３の実施形態では、リモコン送信機として、個人カードを装填することにより、動作するものを用いる必要はないが、第２の実施形態と同様にして、電子機器から監視制御装置１にリモコン信号を個人ＩＤおよび機器ＩＤと共に送ることにより、前述した第２の実施形態と同様にして、リモコン操作についての制限制御を、監視制御装置１が上述の例と同様にして行なうことができる。
【０２２０】
また、この実施形態の場合には、リモコン送信機を用いずに、電子機器に設けられている操作キーを通じて電子機器の動作制御をすることもできるが、その場合における操作制限制御も、リモコン信号の代わりに操作キーの操作情報を監視制御装置１に送ることにより、監視制御装置１が上述の例と同様にして行なうことができる。
【０２２１】
［第４の実施形態］
以上の第１〜第３の実施形態においては、個人情報中にユーザが設定入力した趣味／嗜好情報が含まれており、監視制御装置１は、各部屋の入室者の、当該趣味／嗜好情報を参照することにより、入室者の趣味／嗜好に応じたものとなるように当該部屋の電子機器を制御するようにしたが、この第４の実施形態では、第２の実施形態や第３の実施形態では、リモコン信号や操作キーの操作情報が監視制御装置１に送られることを利用して、各人のリモコン操作履歴を監視制御装置１に蓄え、そのリモコン操作履歴を基にして、電子機器の制御を行なうようにする。
【０２２２】
したがって、この第４の実施形態では、個人情報として、ユーザは、予め趣味／嗜好情報を設定入力しておく必要が無く、しかも、過去の実際の行動パターンに応じた電子機器の制御が行なわれることにより、ユーザが実際に望むような電子機器の制御状態にすることができると期待できる。
【０２２３】
この第４の実施形態においては、監視制御装置１は、前述した第２の実施形態や第３の実施形態において、電子機器から転送されてくる個人ＩＤおよび機器ＩＤ付きのリモコン信号を受け取り、前述したような在室状況の把握をするだけでなく、受信した当該個人ＩＤで識別される人が、受信した当該機器ＩＤで識別される電子機器で、どのようなリモコン操作をしたかを、その操作時刻（電子機器からの情報に時刻情報が含まれている場合にはその時刻、含まれていない場合には監視制御装置１で受信した時刻）とともに認識し、それらを電子機器使用履歴情報として個人プロファイル情報の個人情報の一部に含めて記憶するようにする。すなわち、この第４の実施形態においては、監視制御装置１は、家族の各人毎に、各部屋の各電子機器についてのリモコン操作の履歴情報を、個人情報中の電子機器使用履歴情報として、当該リモコン操作が行われた時刻と共に、家族情報メモリ１０５あるいは他に用意された履歴メモリに記憶する。
【０２２４】
図２７に、家族情報メモリ１０５中の個人プロファイル情報中に電子機器使用履歴情報が記録される場合の例を示す。すなわち、この例の場合の個人プロファイル情報には、趣味／嗜好情報に加えて、電子機器使用履歴情報が書き込まれている。図２７における趣味／嗜好情報は、この電子機器使用履歴情報に基づいて、監視制御装置１で求められたものであって、この第４の実施形態では、ユーザが、設定入力する必要はない。
【０２２５】
この電子機器使用履歴情報としては、例えば過去１ヶ月分のリモコン操作履歴を、記憶するようにする。そして、そのリモコン操作履歴から、監視制御装置１は、ユーザの趣味／嗜好傾向を求める。例えば、当該ユーザは、リモコン操作履歴から、テレビ視聴を好むのか、オーディオ情報の聴取を好むのかを判定することができる。
【０２２６】
また、テレビ番組の選択に関する操作履歴からは、ＥＰＧに含まれるジャンル情報を参照することにより、ドラマを好むのか、ドキュメンタリー番組を好むのか等を判定することができる。同様にして、音楽番組として、どのようなジャンルの音楽を好むのかを判定することもできる。
【０２２７】
監視制御装置１は、その判定結果に応じて、個人情報の趣味／嗜好情報を書き込む。この例の場合には、過去１ヶ月のリモコン操作履歴から判定するので、その判定の都度、趣味／嗜好情報を書き変えるようにする。なお、趣味／嗜好情報の書き換えは、１ヶ月ごととせずに、より長い期間ごとに行なってもよい。
【０２２８】
電子機器使用履歴情報を、各部屋ごとに、記録しておき、各部屋ごとにおけるユーザの行動パターンを判定して、それに基づき電子機器の制御を行なうようにしてもよい。例えば、部屋Ａでは、テレビ番組を視聴するが、部屋Ｂでは、オーディオセットによる音楽聴取を行なうような行動パターンに応じて、各部屋への入室状況に応じて、電子機器を監視制御装置１が行なうようにすることができる。
【０２２９】
また、１日、２４時間を例えば３０分ごとに区切り、各３０分区間におけるリモコン操作履歴を、同曜日について、複数週間分、各部屋ごとに蓄積し、そのリモコン操作履歴に基づいて、当該時刻においては、当該部屋において、どの電子機器をどのように制御するかを決定するようにすることもできる。
【０２３０】
以上のようにして、この第４の実施形態においては、いつものようにテレビ番組や音楽番組を楽しんだりする場合等において、煩わしいリモコン操作等を行なわなくて済み、非常に便利である。
【０２３１】
［その他の実施形態］
以下の説明においては、部屋Ａ、Ｂ、Ｃ、Ｄのそれぞれに配置される電子機器としては、ＴＶセットやオーディオセットなどのＡＶ機器の場合について説明したが、制御対象となる電子機器としては、ＡＶ機器に限らず、パーソナルコンピュータなどの電子機器であってもよい。
【０２３２】
また、上述の説明では、監視制御装置１には、個人プロファイルを、常時、家族情報メモリに格納して保持するようにしたが、個人カード１０に個人プロファイル情報や電子機器使用履歴情報を格納しておき、ＩＤ送受信部に個人カードをかざしたとき、あるいは、個人カードをリモコン送信機や電子機器に装着したときに、それらの個人プロファイル情報や電子機器使用履歴情報を監視制御装置１に転送するようにし、監視制御装置１は、当該転送されてきた情報を用いて前述と同様にして電子機器の制御信号を生成するようにしてもよい。
【０２３３】
上述の例においては、優先権情報は、全ての部屋および全ての電子機器に対するものとして設定されている場合であるが、優先権情報は、部屋ごとに、また、電子機器ごとに、定めるようにしてもよい。また、敢えて優先権情報をテーブルとして記憶しておくことはせず、個人情報に含まれる、例えば続き柄などの情報から優先権を判断し、その判断結果に基づいて、電子機器についての制御を行なうようにしてもよい。
【０２３４】
また、上述の第２の実施形態および第３の実施形態の例では、リモコン送信機３０は各部屋ごとに設けられたが、家族の各々が自分用のリモコン送信機を所有するようにし、使用時に、個人カードを自分用のリモコン送信機に差し込んで使用するように構成してもよい。
【０２３５】
また、以上の実施形態の説明においては、ホームネットワークシステムの場合を例にとったが、この発明は、ホームネットワークシステムに適用される場合に限られるものではない。例えば、職場の各部屋やスペースにおいて、当該部屋に入室あるいは当該スペースに現れた人が、例えばＩＤ送受信部に個人カードをかざすことにより個人ＩＤを監視制御装置に送るようにすると共に、監視制御装置が当該個人ＩＤに識別される人が操作すべきパーソナルコンピュータなどの電子機器の電源をオンにするなどの制御をするようにする場合にも適用可能である。
【０２３６】
この場合において、当該個人ＩＤに識別される人が操作すべきパーソナルコンピュータなどの電子機器の機器ＩＤを、個人情報中に操作する電子機器の識別情報として登録しておくことにより、監視制御装置１は、当該個人ＩＤに対応して制御すべき電子機器を判別して、制御することができる。
【０２３７】
また、操作履歴を記憶しておく前記実施形態の場合であれば、監視制御装置１は、個人情報として機器ＩＤを登録しておかなくても、過去の操作履歴から、当該個人ＩＤに対応して制御すべき電子機器を判別して制御するようにすることができる。
【０２３８】
上述の実施形態では、個人カード１０と、リード／ライト部との通信は、電磁誘導によって行なう場合としたが、例えば、ＢｌｕｅＴｏｏｔｈなどの近距離無線通信技術を用い、個人カード１０とリード／ライト部との通信に電波による無線通信を用いるようにしてもよい。その場合には、個人カード１０をリード／ライト部にかざすなどの動作を行なうようにしなくても、例えば、部屋に在室している間は、所定のタイミングで個人カード１０とその部屋のリード／ライト部との間で通信を行ない、入室、退室の検出を行なうようにすることもできる。
【０２３９】
この場合には、隣接する部屋の送受信部との間で個人カード１０が通信を行なうことが無いように、非常に微弱な電波を用いたり、各部屋からは種々の電波が漏れることが無いようにしたりするなどの方策を講じることにより、使用者は何の動作をも起こすことなく、入室、退室の登録を行なうことができる。
【０２４０】
また、第１の実施形態においては、監視制御装置１に接続されたＩＤ送受信部を通じて使用者の移動の発生と移動先の検出を行なうようにし、また、第２の実施形態、第３の実施形態においては、リモコン送信機３０から転送されてくる個人ＩＤに基づいて、各部屋への入退出の検出を行なうようにしたが、このように、ＩＤ送受信部と、リモコン送信機３０との両方を用いて、各部屋への入退出の検出を行なうようにしてもよい。もちろん、上述した近距離無線通信技術を用いた無線通信により、人の移動の発生と移動先の検出とを行うようにしてもよい。
【０２４１】
また、上述した実施形態においては、個人識別情報送信手段としては、制御用ＩＣを備える個人カードと、それに対するリード／ライト部とを用いるようにしたが、例えば各部屋に各人に毎に割り付けられたボタンを備え、そのボタンの押下に応じて対応する個人ＩＤを発生させて、監視制御装置１に転送するようにする手段を、個人識別情報送信手段として用いるようにすることもできる。
【０２４２】
【発明の効果】
以上説明したように、この発明によれば、ユーザが、電子機器が配置されている場所に現れるだけで、煩わしい操作をしなくても、当該電子機器を当該ユーザの好むような状態に制御することができる。
【図面の簡単な説明】
【図１】この発明による電子機器制御システムの第１の実施形態を説明するための図である。
【図２】この発明による電子機器制御システムの第１の実施形態を説明するための図である。
【図３】実施形態の電子機器制御システムの監視制御装置の構成例を示す図である。
【図４】図３の監視制御装置が備えるメモリに蓄えられる個人プロファイル情報の例を示す図である。
【図５】図３の監視制御装置が備えるメモリに蓄えられる優先権情報の例を示す図である。
【図６】図３の監視制御装置が備えるメモリに蓄えられる在室管理情報テーブルの例を示す図である。
【図７】第１の実施形態の電子機器制御システムに用いられる個人カードを説明するための図である。
【図８】第１の実施形態の電子機器制御システムに用いられるＩＤ送受信部の構成例を示す図である。
【図９】第１の実施形態の電子機器制御システムに用いられるＩＤ送受信部の構成例を示す図である。
【図１０】第１の実施形態の電子機器制御システムに用いられるドアロック装置の構成例を示す図である。
【図１１】第１の実施形態の電子機器制御システムに用いられるドアロック装置の構成例を示す図である。
【図１２】第１の実施形態の電子機器制御システムに用いられるドアロック装置の動作を説明するためのフローチャートを示す図である。
【図１３】第１の実施形態の電子機器制御システムに用いられるドアロック装置の動作を説明するためのフローチャートを示す図である。
【図１４】第１の実施形態の電子機器制御システムに用いられるドアロック装置の動作を説明するためのフローチャートを示す図である。
【図１５】第１の実施形態の電子機器制御システムに用いられるドアロック装置の動作を説明するためのフローチャートを示す図である。
【図１６】第１の実施形態の電子機器制御システムに用いられるドアロック装置の動作を説明するためのフローチャートを示す図である。
【図１７】第１の実施形態の電子機器制御システムに用いられるドアロック装置の動作を説明するためのフローチャートを示す図である。
【図１８】第１の実施形態の電子機器制御システムに用いられるＩＤ送受信部の動作を説明するためのフローチャートを示す図である。
【図１９】第１の実施形態の電子機器制御システムに用いられる監視制御装置の動作を説明するためのフローチャートを示す図である。
【図２０】第１の実施形態の電子機器制御システムに用いられる監視制御装置の動作を説明するためのフローチャートを示す図である。
【図２１】この発明による電子機器制御システムの第２の実施形態を説明するための図である。
【図２２】第２の実施形態の電子機器制御システムに用いられるリモコン送信機の構成を説明するための図である。
【図２３】第２の実施形態の電子機器制御システムに用いられるリモコン送信機の構成を説明するための図である。
【図２４】第２の実施形態の電子機器制御システムに用いられるリモコン送信機の動作を説明するためのフローチャートを示す図である。
【図２５】第２の実施形態の電子機器制御システムに用いられるリモコン送信機の動作を説明するためのフローチャートを示す図である。
【図２６】第２の実施形態の電子機器制御システムに用いられるリモコン送信機の動作を説明するためのフローチャートを示す図である。
【図２７】第４の実施形態の電子機器制御システムの説明のために用いる図である。
【符号の説明】
１…監視制御装置、２Ａ，２Ｂ，２Ｃ，２Ｄ…ＴＶセット、３Ｂ，３Ｃ…オーディオセット、４…ルータ、７Ａ，７Ｂ，７Ｃ，７Ｄ…ＩＤ送受信部、１０…個人カード
【図１】
2004096294.tif 000003
【図２】
2004096294.tif 000004
【図３】
2004096294.tif 000005
【図４】
2004096294.tif 000006
【図５】
2004096294.tif 000007
【図６】
2004096294.tif 000008
【図７】
2004096294.tif 000009
【図８】
2004096294.tif 000010
【図９】
2004096294.tif 000011
【図１０】
2004096294.tif 000012
【図１１】
2004096294.tif 000013
【図１２】
2004096294.tif 000014
【図１３】
2004096294.tif 000015
【図１４】
2004096294.tif 000016
【図１５】
2004096294.tif 000017
【図１６】
2004096294.tif 000018
【図１７】
2004096294.tif 000019
【図１８】
2004096294.tif 000020
【図１９】
2004096294.tif 000021
【図２０】
2004096294.tif 000022
【図２１】
2004096294.tif 000023
【図２２】
2004096294.tif 000024
【図２３】
2004096294.tif 000025
【図２４】
2004096294.tif 000026
【図２５】
2004096294.tif 000027
【図２６】
2004096294.tif 000028
【図２７】
2004096294.tif 000029